(57)【要約】【課題】複数の周波数帯域を用いた場合に通信品質を高めることができる。【解決手段】無線装置１は、発振回路３１と、検出回路１１２２，２１２２と、制御回路１４，２４と、を備える。発振回路３１は、クロック信号を生成する。検出回路１１２２，２１２２は、受信した、複数の周波数帯域の無線信号の基準位相からの位相差を検出する。制御回路１４，２４は、複数の周波数帯域のそれぞれに対して、上記位相差を補償するように上記クロック信号に基づく上記無線信号の受信処理及び送信処理の一方又は両方を制御する。【選択図】図２
2015233192.tif 000002
【特許請求の範囲】
【請求項１】
クロック信号を生成する発振回路と、
受信した、複数の周波数帯域の無線信号の基準位相からの位相差を検出する検出回路と、
複数の周波数帯域のそれぞれに対して、前記位相差を補償するように前記クロック信号に基づく前記無線信号の受信処理及び送信処理の一方又は両方を制御する制御回路と、
を備える、無線装置。
【請求項２】
請求項１に記載の無線装置であって、
前記クロック信号に従って動作するとともに、前記複数の周波数帯域のうちの第１の周波数帯域の前記無線信号に対する、受信処理及び送信処理の一方又は両方を含む第１の無線処理を行なう第１の無線回路と、
前記クロック信号に従って動作するとともに、前記複数の周波数帯域のうちの第２の周波数帯域の前記無線信号に対する、受信処理及び送信処理の一方又は両方を含む第２の無線処理を行なう第２の無線回路と、
を備え、
前記制御回路は、
前記第１の周波数帯域に対して、前記位相差を補償するように前記第１の無線処理を制御する第１の制御回路と、
前記第２の周波数帯域に対して、前記位相差を補償するように前記第２の無線処理を制御する第２の制御回路と、
を備える、無線装置。
【請求項３】
請求項２に記載の無線装置であって、
前記第１の制御回路は、前記第１の無線回路に供給される前記クロック信号の周波数を補正することにより、前記第１の無線処理の制御を行ない、
前記第２の制御回路は、前記第２の無線回路に供給される前記クロック信号の周波数を補正することにより、前記第２の無線処理の制御を行なう、無線装置。
【請求項４】
請求項３に記載の無線装置であって、
前記第１の制御回路は、前記第１の周波数帯域に対する前記位相差に基づいて、前記発振回路により生成される前記クロック信号の周波数を補正するように前記発振回路を制御し、
前記第２の制御回路は、前記第１の周波数帯域に対する前記位相差と前記第２の周波数帯域に対する前記位相差とに基づいて、前記発振回路により出力された前記クロック信号の周波数を補正し、前記補正したクロック信号を前記第２の無線回路へ供給する、無線装置。
【請求項５】
請求項３に記載の無線装置であって、
前記第１の制御回路は、前記第１の周波数帯域に対する前記位相差に基づいて、前記発振回路により出力された前記クロック信号の周波数を補正し、前記補正したクロック信号を前記第１の無線回路へ供給し、
前記第２の制御回路は、前記第２の周波数帯域に対する前記位相差に基づいて、前記発振回路により出力された前記クロック信号の周波数を補正し、前記補正したクロック信号を前記第２の無線回路へ供給する、無線装置。
【請求項６】
請求項２に記載の無線装置であって、
前記第１の制御回路は、前記第１の無線回路に供給される前記クロック信号の周波数を補正することにより、前記第１の無線処理の制御を行ない、
前記第２の制御回路は、前記第２の無線回路が生成する搬送波信号の周波数を補正することにより、前記第２の無線処理の制御を行なう、無線装置。
【請求項７】
請求項６に記載の無線装置であって、
前記第１の制御回路は、前記第１の周波数帯域に対する前記位相差に基づいて、前記発振回路により生成される前記クロック信号の周波数を補正するように前記発振回路を制御し、
前記第２の制御回路は、前記第１の周波数帯域に対する前記位相差と前記第２の周波数帯域に対する前記位相差とに基づいて、前記第２の無線回路が生成する搬送波信号の周波数を補正するように前記第２の無線回路を制御する、無線装置。
【請求項８】
請求項２に記載の無線装置であって、
前記第１の制御回路は、前記第１の無線回路が生成する第１の搬送波信号の周波数を補正することにより、前記第１の無線処理の制御を行ない、
前記第２の制御回路は、前記第２の無線回路が生成する第２の搬送波信号の周波数を補正することにより、前記第２の無線処理の制御を行なう、無線装置。
【請求項９】
請求項８に記載の無線装置であって、
前記第１の制御回路は、前記第１の周波数帯域に対する前記位相差に基づいて、前記第１の搬送波信号の周波数を補正するように前記第１の無線回路を制御し、
前記第２の制御回路は、前記第２の周波数帯域に対する前記位相差に基づいて、前記第２の搬送波信号の周波数を補正するように前記第２の無線回路を制御する、無線装置。
【請求項１０】
請求項２に記載の無線装置であって、
前記第１の制御回路は、前記第１の無線回路に供給される前記クロック信号の周波数を補正することにより、前記第１の無線処理の制御を行ない、
前記第２の制御回路は、前記第２の無線回路における変調信号の位相を補正することにより、前記第２の無線処理の制御を行なう、無線装置。
【請求項１１】
請求項１０に記載の無線装置であって、
前記第１の制御回路は、前記第１の周波数帯域に対する前記位相差に基づいて、前記発振回路により生成される前記クロック信号の周波数を補正するように前記発振回路を制御し、
前記第２の制御回路は、前記第１の周波数帯域に対する前記位相差と前記第２の周波数帯域に対する前記位相差とに基づいて、前記変調信号の位相を補正するように前記第２の無線回路を制御する、無線装置。
【請求項１２】
請求項１１に記載の無線装置であって、
前記第２の無線回路は、無線送信処理及び復調処理の一方又は両方に同期したクロック信号の第１の周波数よりも高い第２の周波数を有するタイミングにおける値を含む信号を前記変調信号として生成するとともに、前記生成した変調信号のうちの、前記第１の周波数を有するタイミングにおける値を処理し、
前記第２の制御回路は、前記第２の無線回路により処理される前記値に対応するタイミングを変更することにより、前記変調信号の位相を補正する、無線装置。
【請求項１３】
請求項１１に記載の無線装置であって、
前記第２の制御回路は、前記第２の無線回路における前記変調信号を演算処理することにより、前記変調信号の位相を補正する、無線装置。
【請求項１４】
請求項２に記載の無線装置であって、
前記第１の制御回路は、前記第１の無線回路における第１の変調信号の位相を補正することにより、前記第１の無線処理の制御を行ない、
前記第２の制御回路は、前記第２の無線回路における第２の変調信号の位相を補正することにより、前記第２の無線処理の制御を行なう、無線装置。
【請求項１５】
請求項１４に記載の無線装置であって、
前記第１の制御回路は、前記第１の周波数帯域に対する前記位相差に基づいて、前記第１の変調信号の位相を補正するように前記第１の無線回路を制御し、
前記第２の制御回路は、前記第２の周波数帯域に対する前記位相差に基づいて、前記第２の変調信号の位相を補正するように前記第２の無線回路を制御する、無線装置。
【請求項１６】
請求項１５に記載の無線装置であって、
前記第１の無線回路は、無線送信処理及び復調処理の一方又は両方に同期したクロック信号の第１の周波数よりも高い第２の周波数を有するタイミングにおける値を含む信号を前記第１の変調信号として生成するとともに、前記生成した第１の変調信号のうちの、前記第１の周波数を有するタイミングにおける値を処理し、
前記第２の無線回路は、無線送信処理及び復調処理の一方又は両方に同期したクロック信号の第３の周波数よりも高い第４の周波数を有するタイミングにおける値を含む信号を前記第２の変調信号として生成するとともに、前記生成した第２の変調信号のうちの、前記第３の周波数を有するタイミングにおける値を処理し、
前記第１の制御回路は、前記第１の無線回路により処理される前記値に対応するタイミングを変更することにより、前記第１の変調信号の位相を補正し、
前記第２の制御回路は、前記第２の無線回路により処理される前記値に対応するタイミングを変更することにより、前記第２の変調信号の位相を補正する、無線装置。
【請求項１７】
請求項１５に記載の無線装置であって、
前記第１の制御回路は、前記第１の変調信号を演算処理することにより、前記第１の変調信号の位相を補正し、
前記第２の制御回路は、前記第２の変調信号を演算処理することにより、前記第２の変調信号の位相を補正する、無線装置。
【請求項１８】
クロック信号を生成する発振回路を備える無線装置の制御方法であって、
前期無線装置が受信した、複数の周波数帯域の無線信号の基準位相からの位相差を検出し、
複数の周波数帯域のそれぞれに対して、前記位相差を補償するように前記クロック信号に基づく前記無線信号の受信処理及び送信処理の一方又は両方を制御する、無線装置の制御方法。
【請求項１９】
請求項１８に記載の無線装置の制御方法であって、
前記制御は、
前記複数の周波数帯域のうちの第１の周波数帯域の前記無線信号に対する、受信処理及び送信処理の一方又は両方を含むとともに、前記クロック信号に従って動作する第１の無線回路により行なわれる第１の無線処理を、前記第１の周波数帯域に対して、前記位相差を補償するように制御することと、
前記複数の周波数帯域のうちの第２の周波数帯域の前記無線信号に対する、受信処理及び送信処理の一方又は両方を含むとともに、前記クロック信号に従って動作する第２の無線回路により行なわれる第２の無線処理を、前記第２の周波数帯域に対して、前記位相差を補償するように制御することと、
を含む、無線装置の制御方法。
【発明の詳細な説明】
【技術分野】
【０００１】
本発明は、無線装置、及び、無線装置の制御方法に関する。
【背景技術】
【０００２】
移動局と基地局とを備える無線通信システムが知られている（例えば、特許文献１及び非特許文献１等）。無線通信システムは、移動局の周波数を基地局の周波数に近づける自動周波数制御（ＡＦＣ；Ａｕｔｏ  Ｆｒｅｑｕｅｎｃｙ  Ｃｏｎｔｒｏｌ）を行なう。
【０００３】
例えば、移動局は、基地局から送信された信号を受信し、受信した信号の、所定の基準位相からの位相差を補償するように、発振回路が生成するクロック信号の周波数を補正することにより、ＡＦＣを行なう。
【０００４】
ところで、３ＧＰＰは、移動局の周波数の、基地局の周波数に対する許容誤差を、０．１ｐｐｍとするように規定する。３ＧＰＰは、Ｔｈｉｒｄ  Ｇｅｎｅｒａｔｉｏｎ  Ｐａｒｔｎｅｒｓｈｉｐ  Ｐｒｏｊｅｃｔの略記である。ｐｐｍは、Ｐａｒｔｓ  Ｐｅｒ  Ｍｉｌｌｉｏｎの略記である。
【０００５】
従って、搬送波周波数が２ＧＨｚである場合、０．１ｐｐｍに対応する周波数帯域は、２００Ｈｚである。また、搬送波周波数が８００ＭＨｚである場合、０．１ｐｐｍに対応する周波数帯域は、８０Ｈｚである。このように、移動局の周波数の、基地局の周波数に対する許容誤差は、通信に用いられる周波数帯域毎に異なる。
【先行技術文献】
【特許文献】
【０００６】
【特許文献１】特開２０１０−１４５２７６号公報
【非特許文献】
【０００７】
【非特許文献１】３ＧＰＰ  ＴＳ  ２５．１０１  Ｖ１２．３．０、”Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｕｓｅｒ  Ｅｑｕｉｐｍｅｎｔ  （ＵＥ）  ｒａｄｉｏ  ｔｒａｎｓｍｉｓｓｉｏｎ  ａｎｄ  ｒｅｃｅｐｔｉｏｎ  （ＦＤＤ）  （Ｒｅｌｅａｓｅ  １２）”、［online］、２０１４年３月、［平成２６年５月１４日検索］、インターネット〈URL：http://www.3gpp.org/ftp/Specs/archive/25_series/25.101/25101-c30.zip〉
【発明の概要】
【発明が解決しようとする課題】
【０００８】
例えば、ＭＩＭＯ方式に従った通信のように、１つの周波数帯域を用いて、複数のデータ系列を並列に通信する場合、移動局の周波数の、基地局の周波数に対する誤差は、データ系列間でほぼ等しい。ＭＩＭＯは、Ｍｕｌｔｉｐｌｅ−Ｉｎｐｕｔ  ａｎｄ  Ｍｕｌｔｉｐｌｅ−Ｏｕｔｐｕｔの略記である。例えば、周波数帯域は、バンド、メインバンド、サブバンド、又は、チャネルである。従って、ＡＦＣによって、１つのデータ系列に対する誤差を許容誤差内に制御できれば、他のデータ系列に対する誤差も同様に許容誤差内に制御できる。
【０００９】
しかしながら、複数の周波数帯域を用いる場合、１つの周波数帯域に対してＡＦＣを実行すると、他の周波数帯域に対する誤差が許容誤差を超えることがある。従って、通信品質が低下することがある。
【００１０】
一つの側面として、本発明の目的の一つは、複数の周波数帯域を用いた場合に通信品質を高めることにある。
【課題を解決するための手段】
【００１１】
一つの側面では、無線装置は、発振回路と、検出回路と、制御回路と、を備える。発振回路は、クロック信号を生成する。検出回路は、受信した、複数の周波数帯域の無線信号の基準位相からの位相差を検出する。制御回路は、複数の周波数帯域のそれぞれに対して、上記位相差を補償するように上記クロック信号に基づく上記無線信号の受信処理及び送信処理の一方又は両方を制御する。
【発明の効果】
【００１２】
複数の周波数帯域を用いた場合に通信品質を高めることができる。
【図面の簡単な説明】
【００１３】
【図１】無線装置の構成例を表すブロック図である。
【図２】第１実施形態に係る無線装置の構成例を表すブロック図である。
【図３】図２の受信器の構成例を表すブロック図である。
【図４】図２の送信器の構成例を表すブロック図である。
【図５】搬送波信号の乗算の前後における送信信号の一例を概念的に示した説明図である。
【図６】受信信号の位相と基準位相との関係の一例を概念的に示した説明図である。
【図７】図２の第２の制御回路の構成例を表すブロック図である。
【図８】図２の無線装置の動作の一例を表すシーケンス図である。
【図９】第１実施形態の第１変形例に係る第２の制御回路の構成例を表すブロック図である。
【図１０】第１実施形態の第２変形例に係る無線装置の構成例を表すブロック図である。
【図１１】図１０の第２の制御回路の構成例を表すブロック図である。
【図１２】図１０の無線装置の動作の一例を表すシーケンス図である。
【図１３】第２実施形態に係る無線装置の構成例を表すブロック図である。
【図１４】図１３の受信器の構成例を表すブロック図である。
【図１５】図１３の送信器の構成例を表すブロック図である。
【図１６】図１３の無線装置の動作の一例を表すシーケンス図である。
【図１７】第２実施形態の第１変形例に係る受信器の構成例を表すブロック図である。
【図１８】第２実施形態の第２変形例に係る受信器の構成例を表すブロック図である。
【図１９】第２実施形態の第３変形例に係る無線装置の構成例を表すブロック図である。
【図２０】図１９の無線装置の動作の一例を表すシーケンス図である。
【図２１】第３実施形態に係る無線装置の構成例を表すブロック図である。
【図２２】図２１のＲＦ部及びＤＢＢ部の構成例を表すブロック図である。
【図２３】図２２の受信タイミング調整回路の構成例を表すブロック図である。
【図２４】２つのクロック信号の周期の関係の一例を概念的に示した説明図である。
【図２５】図２３の受信タイミング調整回路の動作の一例を表すタイムチャートである。
【図２６】図２２の送信タイミング調整回路の構成例を表すブロック図である。
【図２７】図２１の無線装置の動作の一例を表すシーケンス図である。
【図２８】図２３の受信タイミング調整回路の変形例を表すブロック図である。
【図２９】第３実施形態の第１変形例に係る無線装置の構成例を表すブロック図である。
【図３０】図２９の無線装置の動作の一例を表すシーケンス図である。
【図３１】第４実施形態に係る無線装置の構成例を表すブロック図である。
【図３２】図３１のＲＦ部及びＤＢＢ部の構成例を表すブロック図である。
【図３３】図３２の受信位相補正回路の変形例を表すブロック図である。
【図３４】第４実施形態の第１変形例に係る無線装置の構成例を表すブロック図である。
【発明を実施するための形態】
【００１４】
以下、図面を参照して本発明の実施形態を説明する。ただし、以下に説明される実施形態は例示である。従って、以下に明示しない種々の変形や技術が実施形態に適用されることは排除されない。なお、以下の実施形態で用いる図面において、同一の符号を付した部分は、変更又は変形が明示されない限り、同一若しくは同様の部分を表す。
【００１５】
＜第１実施形態＞
複数の周波数帯域を用いる場合、複数の周波数帯域に対して、それぞれＡＦＣを行なうことが考えられる。例えば、図１に示すように、無線装置９００は、第１及び第２の周波数帯域に対して、第１及び第２の無線回路９１２及び９２２と、第１及び第２の制御回路９１３及び９２３と、第１及び第２の発振回路９１１及び９２１と、をそれぞれ備える。第１及び第２の制御回路９１３及び９２３は、第１及び第２の周波数帯域に対して、受信信号の位相差を補償するように、第１及び第２の発振回路９１１及び９２１が生成するクロック信号の周波数をそれぞれ補正する。
【００１６】
しかしながら、無線装置９００は、複数の発振回路９１１及び９２１を備えるので、発振回路を１つだけ備える場合よりも大型化してしまう。また、無線装置９００は、複数の発振回路９１１及び９２１を備えるので、発振回路を１つだけ備える場合よりも、製造に要するコストが高くなってしまう。
【００１７】
これに対し、第１実施形態に係る無線装置は、発振回路と、検出回路と、制御回路と、を備える。発振回路は、クロック信号を生成する。検出回路は、受信した、複数の周波数帯域の無線信号の基準位相からの位相差を検出する。制御回路は、複数の周波数帯域のそれぞれに対して、上記位相差を補償するように上記クロック信号に基づく上記無線信号の受信処理及び送信処理の一方又は両方を制御する。
【００１８】
これによれば、複数の周波数帯域のそれぞれに対して、無線信号の位相差を補償することができる。この結果、各周波数帯域における通信品質を高めることができる。また、複数の発振回路を設ける場合よりも、無線装置を小型化できる。また、複数の発振回路を設ける場合よりも、無線装置の製造に要するコストを低減できる。
【００１９】
以下、第１実施形態に係る無線装置について詳細に説明する。
（構成）
図２に示すように、第１実施形態に係る無線装置１は、他の無線装置との間で無線信号を送信及び受信する。例えば、無線装置は、移動局、基地局、又は、中継局であってよい。移動局は、無線端末、端末装置、又は、ユーザ端末（ＵＥ；Ｕｓｅｒ  Ｅｑｕｉｐｍｅｎｔ）と呼ばれてもよい。本例では、無線装置１は、移動局であり、他の無線装置としての基地局との間で無線信号を送受信する。無線装置１は、移動局又は中継局との間で無線信号を送受信してもよい。
【００２０】
無線装置１は、例示的に、第１の無線回路１１と、第１のアンテナ１２と、第１の共用器１３と、第１の制御回路１４と、を備える。更に、無線装置１は、例示的に、第２の無線回路２１と、第２のアンテナ２２と、第２の共用器２３と、第２の制御回路２４と、発振回路３１と、データ結合回路３２と、を備える。
【００２１】
本例では、無線装置１は、第１の周波数帯域の無線信号の通信と、第１の周波数帯域と異なる第２の周波数帯域の無線信号の通信と、を並列に行なう。例えば、周波数帯域は、バンド、メインバンド、サブバンド、又は、チャネルと呼ばれてもよい。
【００２２】
本例では、第１の無線回路１１及び第２の無線回路２１は、第１及び第２の周波数帯域の無線信号に対する第１及び第２の無線処理をそれぞれ行なう。
例えば、第１の無線回路１１及び第２の無線回路２１は、ＨＳＰＡ（Ｈｉｇｈ−ｓｐｅｅｄ  Ｐａｃｋｅｔ  Ａｃｃｅｓｓ）における、ＤＣ−ＨＳＤＰＡ、ＤＣ−ＨＳＰＡ、又は、ＤＢ−ＨＳＤＰＡ方式に従った無線処理を行なってよい。ＤＣは、Ｄｕａｌ  Ｃｅｌｌの略記である。ＨＳＤＰＡは、Ｈｉｇｈ  Ｓｐｅｅｄ  Ｄｏｗｎｌｉｎｋ  Ｐａｃｋｅｔ  Ａｃｃｅｓｓの略記である。ＤＢは、Ｄｕａｌ  Ｂａｎｄの略記である。
【００２３】
また、例えば、第１の無線回路１１及び第２の無線回路２１は、ＬＴＥ−ＡｄｖａｎｃｅｄにおけるＣＡ（Ｃａｒｒｉｅｒ  Ａｇｇｒｅｇａｔｉｏｎ）を行なうための無線処理を実行してもよい。ＬＴＥは、Ｌｏｎｇ  Ｔｅｒｍ  Ｅｖｏｌｕｔｉｏｎの略記である。
【００２４】
また、例えば、第１の無線回路１１及び第２の無線回路２１は、互いに異なる無線通信方式（換言すると、ＲＡＴ）に従った通信を行なうための無線処理を実行してもよい。ＲＡＴは、Ｒａｄｉｏ  Ａｃｃｅｓｓ  Ｔｅｃｈｎｏｌｏｇｙの略記である。例えば、第１の無線回路１１は、ＬＴＥ方式に従った無線処理を実行し、第２の無線回路２１は、Ｗ−ＣＤＭＡ方式又はＷｉ−Ｆｉ方式に従った無線処理を実行してもよい。Ｗ−ＣＤＭＡは、Ｗｉｄｅｂａｎｄ  Ｃｏｄｅ  Ｄｉｖｉｓｉｏｎ  Ｍｕｌｔｉｐｌｅ  Ａｃｃｅｓｓの略記である。Ｗｉ−Ｆｉは、Ｗｉｒｅｌｅｓｓ  Ｆｉｄｅｌｉｔｙの略記である。
また、第１の無線回路１１及び第２の無線回路２１は、互いに異なる通信キャリアによる通信を行なうための無線処理を実行してもよい。
【００２５】
発振回路３１は、所定の周波数を有するクロック信号を生成する。本例では、発振回路３１は、印加される電圧に応じて、生成するクロック信号の周波数を制御可能な水晶発振器を含む。例えば、発振器は、ＶＣ−ＴＣＸＯ（Ｖｏｌｔａｇｅ  Ｃｏｎｔｒｏｌｌｅｄ  Ｔｅｍｐｅｒａｔｕｒｅ  Ｃｏｍｐｅｎｓａｔｅｄ  Ｃｒｙｓｔａｌ  Ｏｓｃｉｌｌａｔｏｒ）である。
【００２６】
第１の無線回路１１は、発振回路３１により生成されたクロック信号に従って動作する。第１の無線回路１１は、第１の周波数帯域の無線信号に対する第１の無線処理を行なう。本例では、第１の無線処理は、無線信号を受信する処理である受信処理、及び、無線信号を送信する処理である送信処理、の両方を含む。なお、第１の無線処理は、受信処理、又は、送信処理の一方を含んでよい。また、第１の無線処理は、受信処理、又は、送信処理の一方を含むとともに他方を含まなくてもよい。
【００２７】
第１の無線回路１１は、例示的に、ＲＦ（Ｒａｄｉｏ  Ｆｒｅｑｕｅｎｃｙ）部１１１と、ＤＢＢ（Ｄｉｇｉｔａｌ  Ｂａｓｅｂａｎｄ）部１１２と、を備える。
ＲＦ部１１１は、アナログ信号を処理する。ＲＦ部１１１は、ＤＢＢ部１１２から入力される信号をデジタル信号からアナログ信号へ変換する（換言すると、ＤＡ変換を行なう）とともに、ＤＢＢ部１１２へ出力する信号をアナログ信号からデジタル信号へ変換する（換言すると、ＡＤ変換を行なう）。
【００２８】
ＲＦ部１１１は、例示的に、受信器１１１１と、送信器１１１２と、を備える。
受信器１１１１及び送信器１１１２のそれぞれは、第１の共用器１３を介して第１のアンテナ１２と接続される。受信器１１１１及び送信器１１１２は、第１の共用器１３を用いることにより第１のアンテナ１２を共用する。
【００２９】
図３に示すように、受信器１１１１は、例示的に、受信シンセサイザ１１１３と、乗算器１１１４と、を備える。本例では、受信器１１１１により実行される処理は、無線受信処理とも表される。
【００３０】
受信シンセサイザ１１１３は、発振回路３１により生成されたクロック信号に基づいて、クロック信号の周波数と異なる周波数の搬送波信号を生成する。本例では、受信シンセサイザ１１１３により生成される搬送波信号の周波数は、第１の周波数帯域に含まれる。例えば、受信シンセサイザ１１１３は、ＰＬＬ（Ｐｈａｓｅ  Ｌｏｃｋｅｄ  Ｌｏｏｐ）周波数シンセサイザである。例えば、ＰＬＬ周波数シンセサイザは、デジタルＰＬＬである。
【００３１】
乗算器１１１４は、第１のアンテナ１２により受信された無線信号に、受信シンセサイザ１１１３により生成された搬送波信号を乗算する。乗算は、混合と表されてもよい。乗算器１１１４は、乗算後の信号を、後述する復調器１１２１へ出力する。乗算器１１１４により出力される信号は、受信信号と表されてよい。
【００３２】
図４に示すように、送信器１１１２は、例示的に、送信シンセサイザ１１１５と、乗算器１１１６と、を備える。本例では、送信器１１１２により実行される処理は、無線送信処理とも表される。
【００３３】
送信シンセサイザ１１１５は、受信シンセサイザ１１１３と同様に、発振回路３１により生成されたクロック信号に基づいて搬送波信号を生成する。本例では、送信シンセサイザ１１１５は、受信シンセサイザ１１１３が生成する搬送波信号の周波数と同じ周波数の搬送波信号を生成する。
【００３４】
乗算器１１１６は、後述する変調器１１２３により出力された送信信号に、送信シンセサイザ１１１５により生成された搬送波信号を乗算する。乗算器１１１６は、乗算後の信号を第１の共用器１３を介して第１のアンテナ１２へ出力する。図５に例示するように、第１のアンテナ１２から、送信信号Ｓ０に、周波数Ｆｃの搬送波信号が乗算された信号Ｓ１が送信される。
【００３５】
図２に示すＤＢＢ部１１２は、デジタル信号を処理する。
ＤＢＢ部１１２は、例示的に、復調器１１２１と、検出器１１２２と、変調器１１２３と、を備える。
【００３６】
復調器１１２１は、発振回路３１により生成されたクロック信号に基づいて、受信器１１１１により出力された受信信号を所定の変調方式に従って復調する。例えば、変調方式は、ＱＰＳＫ、１６ＱＡＭ、又は、６４ＱＡＭ等の多値変調方式であってよい。ＱＰＳＫは、Ｑｕａｄｒｉｐｈａｓｅ  Ｐｈａｓｅ−Ｓｈｉｆｔ  Ｋｅｙｉｎｇの略記である。ＱＡＭは、Ｑｕａｄｒａｔｕｒｅ  Ａｍｐｌｉｔｕｄｅ  Ｍｏｄｕｌａｔｉｏｎの略記である。本例では、復調器１１２１により実行される処理は、復調処理とも表される。
【００３７】
検出器１１２２は、受信器１１１１により出力された受信信号の位相の、所定の基準位相からの差である第１の位相差Δｆ１を検出する。位相差は、位相シフト量、又は、位相ずれ量と表されてもよい。本例では、位相差は、受信信号の周波数の、所定の基準周波数からの差である周波数差に対応する。例えば、位相差又は周波数差は、無線装置１の通信相手である他の無線装置が生成する信号の第１の周波数と、当該第１の周波数と周波数が一致するように無線装置１が生成する信号の第２の周波数と、の差に対応する。
【００３８】
本例では、位相差の検出には、既知信号が用いられる。既知信号は、無線装置１と、無線装置１の通信相手である他の無線装置と、のそれぞれにより予め知られている信号である。例えば、既知信号は、同期信号、パイロット信号、又は、参照信号等である。
本例では、検出器１１２２は、受信器１１１１により出力された受信信号と、予め記憶している既知信号と、の相関に基づいて第１の位相差Δｆ１を検出する。
検出器１１２２と、後述する検出器２１２２と、は、第１及び第２の周波数帯域の無線信号の基準位相からの位相差を検出する検出回路の一例である。
【００３９】
変調器１１２３は、発振回路３１により生成されたクロック信号に基づいて、送信信号を所定の変調方式に従って変調する。例えば、変調方式は、ＱＰＳＫ、１６ＱＡＭ、又は、６４ＱＡＭ等の多値変調方式であってよい。変調器１１２３は、変調後の送信信号を送信器１１１２へ出力する。本例では、変調器１１２３により実行される処理は、変調処理とも表される。
【００４０】
第１の制御回路１４は、検出器１１２２により検出された第１の位相差Δｆ１に基づいて、発振回路３１により生成されるクロック信号の周波数を補正するように発振回路３１を制御する。本例では、第１の制御回路１４は、発振回路３１に含まれる水晶発振器に印加される電圧を調整することにより、クロック信号の周波数を補正する。
【００４１】
本例では、第１の制御回路１４は、受信信号の位相が基準位相よりも進んでいることを、検出された第１の位相差Δｆ１が示す場合、クロック信号の周波数を増加するように電圧の調整量を決定する。更に、本例では、第１の制御回路１４は、受信信号の位相が基準位相よりも遅れていることを、検出された第１の位相差Δｆ１が示す場合、クロック信号の周波数を減少するように電圧の調整量を決定する。
【００４２】
なお、第１の制御回路１４は、位相差と電圧の調整量との関係を予め記憶し、記憶している関係と、検出器１１２２により検出された第１の位相差Δｆ１と、に基づいて、電圧の調整量を決定してもよい。
【００４３】
図６に例示するように、受信信号の位相Ｐ１が基準位相Ｐ０よりも進んでいる場合、クロック信号の周波数が増加される。従って、受信信号の位相が基準位相Ｐ０に近づく方向Ａ１へ、受信信号の位相が補正されるように、第１の無線処理が制御される。
【００４４】
一方、受信信号の位相Ｐ２が基準位相Ｐ０よりも遅れている場合、クロック信号の周波数が減少される。従って、受信信号の位相が基準位相Ｐ０に近づく方向Ａ２へ、受信信号の位相が補正されるように、第１の無線処理が制御される。このようにして、第１の制御回路１４は、第１の位相差Δｆ１を補償するように第１の無線処理を制御する。
【００４５】
図７に示すように、第２の制御回路２４は、例示的に、周波数制御信号生成器２４１と、プログラマブル分周器２４２と、位相比較器２４３と、ループフィルタ２４４と、ＶＣＯ２４５と、を備える。ＶＣＯは、Ｖｏｌｔａｇｅ  Ｃｏｎｔｒｏｌｌｅｄ  Ｏｓｃｉｌｌａｔｏｒの略記である。第２の制御回路２４のうちの、プログラマブル分周器２４２、位相比較器２４３、ループフィルタ２４４及びＶＣＯ２４５を含む部分は、デジタルＰＬＬと呼ばれてもよい。
【００４６】
周波数制御信号生成器２４１は、検出器１１２２により検出された第１の位相差Δｆ１と、後述する検出器２１２２により検出された第２の位相差Δｆ２と、に基づいて分周比Ｍを決定し、決定した分周比Ｍを表す周波数制御信号を出力する。本例では、Ｍは整数を表す。
【００４７】
本例では、周波数制御信号生成器２４１は、第２の位相差Δｆ２から第１の位相差Δｆ１を減じた値Δｆ２−Δｆ１に基づいて分周比Ｍを決定する。なお、本例では、位相差が正の値を有することは、受信信号の位相が基準位相よりも進んでいることを表す。例えば、周波数制御信号生成器２４１は、値Δｆ２−Δｆ１が増加するほど分周比Ｍが増加するように分周比Ｍを決定する。
【００４８】
なお、周波数制御信号生成器２４１は、値Δｆ２−Δｆ１と分周比Ｍとの関係を予め記憶し、記憶している関係と、検出された、第１の位相差Δｆ１及び第２の位相差Δｆ２から算出された値Δｆ２−Δｆ１と、に基づいて、分周比Ｍを決定してもよい。
【００４９】
また、周波数制御信号生成器２４１は、値Δｆ２−Δｆ１に代えて、値Δｆ２−ｋΔｆ１を、分周比Ｍを決定するために用いてもよい。ここで、ｋは、予め定められた係数を表す。係数ｋは、第１の周波数帯域に含まれる周波数と、第２の周波数帯域に含まれる周波数と、に基づいて決定されてよい。例えば、係数ｋは、第１の周波数帯域に対する搬送波信号の周波数と、第２の周波数帯域に対する搬送波信号の周波数と、の比に基づく値であってよい。
【００５０】
プログラマブル分周器２４２は、ＶＣＯ２４５により出力されたクロック信号の周波数Ｆ２を、周波数制御信号生成器２４１により出力された周波数制御信号が表す分周比Ｍにより除した周波数ＦＭ（＝Ｆ２／Ｍ）の分周信号を出力する。
【００５１】
位相比較器２４３は、発振回路３１により出力されたクロック信号と、プログラマブル分周器２４２により出力された分周信号と、の間の位相差に応じた信号である位相差信号を出力する。
【００５２】
本例では、位相差信号は、プログラマブル分周器２４２により出力された分周信号が、発振回路３１により出力されたクロック信号よりも進んでいる場合、ＶＣＯ２４５により生成されるクロック信号の周波数を減少させる値を有する。更に、本例では、位相差信号は、プログラマブル分周器２４２により出力された分周信号が、発振回路３１により出力されたクロック信号よりも遅れている場合、ＶＣＯ２４５により生成されるクロック信号の周波数を増加させる値を有する。
例えば、位相比較器２４３は、排他的論理和及びチャージポンプを用いて実現されてよい。
【００５３】
ループフィルタ２４４は、位相差信号を平滑化する。本例では、ループフィルタ２４４は、ローパスフィルタである。
【００５４】
ＶＣＯ２４５は、印加される電圧に応じて、生成する信号の周波数を制御可能な発振器を含む。ＶＣＯ２４５は、ループフィルタ２４４により平滑化された位相差信号に応じた周波数のクロック信号を生成する。ＶＣＯ２４５は、生成したクロック信号を第２の無線回路２１へ出力する。クロック信号の出力は、クロック信号の供給と表されてよい。
【００５５】
このようにして、第２の制御回路２４は、発振回路３１により出力されたクロック信号の周波数を補正し、補正したクロック信号を第２の無線回路２１へ供給する。これにより、第２の制御回路２４は、第２の無線回路２１に供給されるクロック信号の周波数を補正することにより、第２の無線処理の制御を行なう。
【００５６】
図２に示す第２の無線回路２１は、第２の制御回路２４により出力されたクロック信号に従って動作する。第２の無線回路２１は、第１の周波数帯域と異なる第２の周波数帯域の無線信号に対する第２の無線処理を行なう。
【００５７】
本例では、第２の無線処理は、無線信号を受信する処理である受信処理、及び、無線信号を送信する処理である送信処理、の両方を含む。なお、第２の無線処理は、受信処理、又は、送信処理の一方を含んでよい。また、第２の無線処理は、受信処理、又は、送信処理の一方を含むとともに他方を含まなくてもよい。
【００５８】
第２の無線回路２１は、例示的に、ＲＦ部２１１と、ＤＢＢ部２１２と、を備える。ＲＦ部２１１及びＤＢＢ部２１２は、第１及び第２の相違点を除いて、ＲＦ部１１１及びＤＢＢ部１１２とそれぞれ同様の機能を有する。第１の相違点は、発振回路３１により出力されたクロック信号に代えて、第２の制御回路２４により出力されたクロック信号に従って動作する点である。第２の相違点は、第１の周波数帯域に代えて第２の周波数帯域に対する処理を実行する点である。
【００５９】
ＲＦ部２１１は、例示的に、受信器２１１１と、送信器２１１２と、を備える。受信器２１１１及び送信器２１１２は、第１及び第２の相違点を除いて、受信器１１１１及び送信器１１１２とそれぞれ同様の機能を有する。
【００６０】
ＤＢＢ部２１２は、例示的に、復調器２１２１と、検出器２１２２と、変調器２１２３と、を備える。復調器２１２１、検出器２１２２及び変調器２１２３は、第１及び第２の相違点を除いて、復調器１１２１、検出器１１２２及び変調器１１２３とそれぞれ同様の機能を有する。従って、上述したように、検出器２１２２は、受信器２１１１により出力された受信信号の位相の基準位相からの差である第２の位相差Δｆ２を検出する。
【００６１】
データ結合回路３２は、復調器１１２１による復調後の受信信号と、復調器２１２１による復調後の受信信号と、を結合する。
【００６２】
（動作）
無線装置１の動作の一例について図２及び図８を参照しながら説明する。
第１の無線回路１１において、受信器１１１１は、第１のアンテナ１２を介して、他の無線装置により送信された第１の周波数帯域の無線信号を受信し、受信した無線信号である受信信号を出力する。検出器１１２２は、受信器１１１１により出力された受信信号の位相の基準位相からの差である第１の位相差Δｆ１を検出する（図８のステップＳ１０１）。
【００６３】
同様に、第２の無線回路２１において、受信器２１１１は、第２のアンテナ２２を介して、他の無線装置により送信された第２の周波数帯域の無線信号を受信し、受信した無線信号である受信信号を出力する。検出器２１２２は、受信器２１１１により出力された受信信号の位相の基準位相からの差である第２の位相差Δｆ２を検出する（図８のステップＳ１０２）。
【００６４】
本例では、位相差の検出に用いられる既知信号は、第１の無線回路１１及び第２の無線回路２１に共通するタイムスロットにて受信される。なお、位相差の検出に用いられる既知信号は、第１の無線回路１１及び第２の無線回路２１に共通するサブフレーム又はフレームにて受信されてもよい。また、第１の無線回路１１において位相差の検出に用いられる既知信号は、第２の無線回路２１において位相差の検出に用いられる既知信号が受信されるタイミングから所定の時間内に受信されてもよい。
【００６５】
検出器１１２２は、検出した第１の位相差Δｆ１を、第１の制御回路１４及び第２の制御回路２４のそれぞれへ出力する（図８のステップＳ１０３）。
第１の制御回路１４は、検出器１１２２により検出された第１の位相差Δｆ１に基づいて、発振回路３１により生成されるクロック信号の周波数を補正するように発振回路３１を制御する（図８のステップＳ１０４）。
【００６６】
第２の制御回路２４は、検出器１１２２により検出された第１の位相差Δｆ１と、検出器２１２２により検出された第２の位相差Δｆ２と、に基づいて、発振回路３１により出力されたクロック信号の周波数を補正する（図８のステップＳ１０５）。例えば、図８のステップＳ１０４及びＳ１０５の処理は、同時に、又は、略同時に実行されてよい。
第２の制御回路２４は、補正したクロック信号を第２の無線回路２１へ供給する。このように、第２の制御回路２４は、第２の無線回路２１に供給されるクロック信号の周波数を補正することにより、第２の無線処理の制御を行なう。
【００６７】
以上、説明したように、第１実施形態に係る無線装置１は、発振回路３１と、検出器１１２２及び検出器２１２２と、第１の制御回路１４及び第２の制御回路２４と、を備える。発振回路３１は、クロック信号を生成する。検出器１１２２は、第１の周波数帯域の無線信号の基準位相からの第１の位相差Δｆ１を検出する。検出器２１２２は、第２の周波数帯域の無線信号の基準位相からの第２の位相差Δｆ２を検出する。第１の制御回路１４は、第１の周波数帯域に対して、第１の位相差Δｆ１を補償するように第１の無線処理を制御する。第２の制御回路２４は、第２の周波数帯域に対して、第２の位相差Δｆ２を補償するように第２の無線処理を制御する。
【００６８】
これによれば、第１及び第２の周波数帯域のそれぞれに対して、無線信号の位相差を補償することができる。この結果、各周波数帯域における通信品質を高めることができる。また、複数のＶＣ−ＴＣＸＯを設ける場合よりも、無線装置１を小型化できる。また、複数のＶＣ−ＴＣＸＯを設ける場合よりも、無線装置１の製造に要するコストを低減できる。
【００６９】
更に、第１実施形態に係る無線装置１において、第１の制御回路１４は、第１の無線回路１１に供給されるクロック信号の周波数を補正することにより、第１の無線処理の制御を行なう。加えて、第２の制御回路２４は、第２の無線回路２１に供給されるクロック信号の周波数を補正することにより、第２の無線処理の制御を行なう。
【００７０】
これによれば、第１及び第２の周波数帯域のそれぞれに対する、受信された無線信号の位相差を補償することができる。
【００７１】
更に、第１実施形態に係る無線装置１において、第１の制御回路１４は、第１の周波数帯域に対する第１の位相差Δｆ１に基づいて、発振回路３１により生成されるクロック信号の周波数を補正するように発振回路３１を制御する。加えて、第２の制御回路２４は、第１の周波数帯域に対する第１の位相差Δｆ１と第２の周波数帯域に対する第２の位相差Δｆ２とに基づいて、発振回路３１により出力されたクロック信号の周波数を補正する。第２の制御回路２４は、補正したクロック信号を第２の無線回路２１へ供給する。
【００７２】
これによれば、発振回路３１により生成されるクロック信号の周波数は、第１の周波数帯域に対する第１の位相差Δｆ１に基づいて補正される。従って、第１の周波数帯域に対する第１の位相差Δｆ１を補償することができる。更に、発振回路３１により出力されたクロック信号の周波数は、第１及び第２の周波数帯域に対する位相差Δｆ１及びΔｆ２に基づいて補正される。従って、第２の無線回路２１に供給されるクロック信号の周波数に、第１及び第２の周波数帯域に対する位相差Δｆ１及びΔｆ２の両方を反映できる。この結果、第２の周波数帯域に対する第２の位相差Δｆ２を補償することができる。
【００７３】
＜第１実施形態の第１変形例＞
次に、本発明の第１実施形態の第１変形例に係る無線装置について説明する。第１実施形態の第１変形例に係る無線装置は、第１実施形態に係る無線装置に対して、デジタルＰＬＬに代えて、ＡＤＰＬＬを用いる点において相違している。ＡＤＰＬＬは、Ａｌｌ  Ｄｉｇｉｔａｌ  ＰＬＬの略記である。以下、かかる相違点を中心として説明する。なお、第１実施形態の第１変形例の説明において、第１実施形態にて使用した符号と同じ符号を付したものは、同一又はほぼ同様のものである。
【００７４】
図９に示すように、第１実施形態の第１変形例に係る無線装置１は、例示的に、図２の第２の制御回路２４に代えて、第２の制御回路２４Ａを備える。
【００７５】
第２の制御回路２４Ａは、例示的に、周波数制御信号生成器２４１と、ＰＦＤ２４６と、デジタル演算部２４７と、ＤＣＯ２４８と、を備える。ＰＦＤは、Ｐｈａｓｅ  Ｆｒｅｑｕｅｎｃｙ  Ｄｅｔｅｃｔｏｒの略記である。ＤＣＯは、Ｄｉｇｉｔａｌｌｙ  Ｃｏｎｔｒｏｌｌｅｄ  Ｏｓｃｉｌｌａｔｏｒの略記である。
【００７６】
第２の制御回路２４Ａのうちの、ＰＦＤ２４６、デジタル演算部２４７及びＤＣＯ２４８を含む部分は、ＡＤＰＬＬと呼ばれてもよい。第２の制御回路２４Ａのうちの、ＰＦＤ２４６、デジタル演算部２４７及びＤＣＯ２４８を含む部分は、例えば、標準ＣＭＯＳプロセスによって形成されるＣＭＯＳデジタル回路により実現されてよい。ＣＭＯＳは、Ｃｏｍｐｌｅｍｅｎｔａｒｙ  Ｍｅｔａｌ  Ｏｘｉｄｅ  Ｓｅｍｉｃｏｎｄｕｃｔｏｒの略記である。
【００７７】
周波数制御信号生成器２４１は、図７に示す周波数制御信号生成器２４１と同様の機能を有する。
ＰＦＤ２４６は、分周信号と、発振回路３１により出力されたクロック信号と、の間の位相差に応じた信号である位相差信号を出力する。本例では、分周信号は、ＤＣＯ２４８により出力されたクロック信号の周波数Ｆ２を、周波数制御信号生成器２４１により出力された周波数制御信号が表す分周比Ｍにより除した周波数ＦＭ（＝Ｆ２／Ｍ）の信号である。
【００７８】
本例では、ＰＦＤ２４６は、ＴＤＣ（Ｔｉｍｅ  ｔｏ  Ｄｉｇｉｔａｌ  Ｃｏｎｖｅｒｔｅｒ）と、カウンタと、を備える。ＰＦＤ２４６は、分周信号の周波数と、発振回路３１により出力されたクロック信号の周波数と、の比の整数部分をカウンタにより検出する。更に、ＰＦＤ２４６は、分周信号の周波数と、発振回路３１により出力されたクロック信号の周波数と、の比の小数部分をＴＤＣにより検出する。
【００７９】
ＰＦＤ２４６は、カウンタ及びＴＤＣによる検出結果に基づいて位相差信号を出力する。本例では、位相差信号は、分周信号が、発振回路３１により出力されたクロック信号よりも進んでいる場合、ＤＣＯ２４８により生成されるクロック信号の周波数を減少させる値を有する。更に、本例では、位相差信号は、分周信号が、発振回路３１により出力されたクロック信号よりも遅れている場合、ＤＣＯ２４８により生成されるクロック信号の周波数を増加させる値を有する。
【００８０】
デジタル演算部２４７は、位相差信号を平滑化する。本例では、デジタル演算部２４７は、ローパスフィルタを含む。デジタル演算部２４７は、平滑化された位相差信号に応じた周波数を表す周波数制御信号を出力する。
【００８１】
ＤＣＯ２４８は、入力される周波数制御信号が表す周波数の信号を生成可能な発振器を含む。例えば、発振器は、ＬＣ発振回路を含んでよい。本例では、ＤＣＯ２４８は、デジタル演算部２４７により出力された周波数制御信号が表す周波数のクロック信号を生成する。ＤＣＯ２４８は、生成したクロック信号を第２の無線回路２１へ出力する。
【００８２】
このようにして、第２の制御回路２４Ａは、発振回路３１により出力されたクロック信号の周波数を補正し、補正したクロック信号を第２の無線回路２１へ供給する。これにより、第２の制御回路２４Ａは、第２の無線回路２１に供給されるクロック信号の周波数を補正することにより、第２の無線処理の制御を行なう。
【００８３】
第１実施形態の第１変形例に係る無線装置１は、第１実施形態に係る無線装置１と同様に動作する。これにより、第１実施形態の第１変形例に係る無線装置１は、第１実施形態に係る無線装置１と同様の作用及び効果を奏することができる。
【００８４】
＜第１実施形態の第２変形例＞
次に、本発明の第１実施形態の第２変形例に係る無線装置について説明する。第１実施形態の第２変形例に係る無線装置は、第１実施形態に係る無線装置に対して、発振回路により出力されたクロック信号の周波数を第１及び第２の周波数帯域に対して並列に補正する点において相違している。以下、かかる相違点を中心として説明する。なお、第１実施形態の第２変形例の説明において、第１実施形態にて使用した符号と同じ符号を付したものは、同一又はほぼ同様のものである。
【００８５】
（構成）
図１０に示すように、第１実施形態の第２変形例に係る無線装置１Ｂは、例示的に、図２の第１の制御回路１４、第２の制御回路２４及び発振回路３１に代えて、第１の制御回路１４Ｂ、第２の制御回路２４Ｂ及び発振回路３１Ｂを備える。
【００８６】
発振回路３１Ｂは、所定の周波数を有するクロック信号を生成する。本例では、発振回路３１Ｂは、水晶発振器を含む。例えば、発振器は、ＴＣＸＯである。なお、発振器は、ＶＣ−ＴＣＸＯであってもよい。
【００８７】
第２の制御回路２４Ｂは、第１の位相差Δｆ１に基づかずに、第２の位相差Δｆ２に基づいて、発振回路３１により出力されたクロック信号の周波数を補正する点において、図２の第２の制御回路２４と相違する。
【００８８】
図１１に示すように、第１実施形態の第２変形例に係る第２の制御回路２４Ｂは、図７の周波数制御信号生成器２４１に代えて周波数制御信号生成器２４１Ｂを備える。
周波数制御信号生成器２４１Ｂは、検出器２１２２により検出された第２の位相差Δｆ２に基づいて分周比Ｍを決定し、決定した分周比Ｍを表す周波数制御信号を出力する。
【００８９】
本例では、周波数制御信号生成器２４１Ｂは、第２の位相差Δｆ２が増加するほど分周比Ｍが増加するように分周比Ｍを決定する。なお、本例では、位相差が正の値を有することは、受信信号の位相が基準位相よりも進んでいることを表す。
なお、周波数制御信号生成器２４１Ｂは、第２の位相差Δｆ２と分周比Ｍとの関係を予め記憶し、記憶している関係と、検出された、第２の位相差Δｆ２と、に基づいて、分周比Ｍを決定してもよい。
【００９０】
第２の制御回路２４Ｂは、発振回路３１Ｂにより出力されたクロック信号の周波数を補正し、補正したクロック信号を第２の無線回路２１へ供給する。これにより、第２の制御回路２４Ｂは、第２の無線回路２１に供給されるクロック信号の周波数を補正することにより、第２の無線処理の制御を行なう。
【００９１】
第１の制御回路１４Ｂは、第２の位相差Δｆ２に代えて第１の位相差Δｆ１を用いる点、及び、第２の無線回路２１に代えて第１の無線回路１１へクロック信号を供給する点を除いて、第２の制御回路２４Ｂと同様の機能を有する。
【００９２】
従って、第１の制御回路１４Ｂは、発振回路３１Ｂにより出力されたクロック信号の周波数を補正し、補正したクロック信号を第１の無線回路１１へ供給する。これにより、第１の制御回路１４Ｂは、第１の無線回路１１に供給されるクロック信号の周波数を補正することにより、第１の無線処理の制御を行なう。
【００９３】
なお、第１の制御回路１４Ｂ及び第２の制御回路２４Ｂのそれぞれは、デジタルＰＬＬに代えて、ＡＤＰＬＬを備えていてもよい。
【００９４】
（動作）
無線装置１Ｂの動作の一例について図１０及び図１２を参照しながら説明する。
第１の無線回路１１において、受信器１１１１は、第１のアンテナ１２を介して、他の無線装置により送信された第１の周波数帯域の無線信号を受信し、受信した無線信号である受信信号を出力する。検出器１１２２は、受信器１１１１により出力された受信信号の位相の基準位相からの差である第１の位相差Δｆ１を検出する（図１２のステップＳ２０１）。
【００９５】
同様に、第２の無線回路２１において、受信器２１１１は、第２のアンテナ２２を介して、他の無線装置により送信された第２の周波数帯域の無線信号を受信し、受信した無線信号である受信信号を出力する。検出器２１２２は、受信器２１１１により出力された受信信号の位相の基準位相からの差である第２の位相差Δｆ２を検出する（図１２のステップＳ２０２）。
【００９６】
本例では、位相差の検出に用いられる既知信号は、第１の無線回路１１及び第２の無線回路２１に共通するタイムスロットにて受信されてもよく、互いに異なるタイムスロットにて受信されてもよい。
【００９７】
第１の制御回路１４Ｂは、検出器１１２２により検出された第１の位相差Δｆ１に基づいて、発振回路３１により出力されたクロック信号の周波数を補正する（図１２のステップＳ２０３）。第１の制御回路１４Ｂは、補正したクロック信号を第１の無線回路１１へ供給する。このように、第１の制御回路１４Ｂは、第１の無線回路１１に供給されるクロック信号の周波数を補正することにより、第１の無線処理の制御を行なう。
【００９８】
同様に、第２の制御回路２４Ｂは、検出器２１２２により検出された第２の位相差Δｆ２に基づいて、発振回路３１により出力されたクロック信号の周波数を補正する（図１２のステップＳ２０４）。第２の制御回路２４Ｂは、補正したクロック信号を第２の無線回路２１へ供給する。このように、第２の制御回路２４Ｂは、第２の無線回路２１に供給されるクロック信号の周波数を補正することにより、第２の無線処理の制御を行なう。
【００９９】
これにより、第１実施形態の第２変形例に係る無線装置１Ｂは、第１実施形態に係る無線装置１と同様の作用及び効果を奏することができる。
更に、第１実施形態の第２変形例に係る無線装置１Ｂによれば、第１及び第２の周波数帯域のそれぞれに対する、受信された無線信号の位相差を高い精度にて補償することができる。
【０１００】
＜第２実施形態＞
次に、本発明の第２実施形態に係る無線装置について説明する。第２実施形態に係る無線装置は、第１実施形態に係る無線装置に対して、第２の無線回路が生成する搬送波信号の周波数を補正することにより、第２の無線処理の制御を行なう点において相違している。以下、かかる相違点を中心として説明する。なお、第２実施形態の説明において、第１実施形態にて使用した符号と同じ符号を付したものは、同一又はほぼ同様のものである。
【０１０１】
（構成）
図１３に示すように、第２実施形態に係る無線装置１Ｃは、図２の第２の制御回路２４及びＲＦ部２１１に代えて、例示的に、ＲＦ部２１１Ｃを備える。ＲＦ部２１１Ｃは、図２の受信器２１１１及び送信器２１１２に代えて、例示的に、第２の制御回路２４Ｃ、受信器２１１１Ｃ及び送信器２１１２Ｃを備える。
【０１０２】
第２実施形態に係る第２の無線回路２１は、発振回路３１により生成されたクロック信号に従って動作する。
【０１０３】
第２の制御回路２４Ｃは、検出器１１２２により検出された第１の位相差Δｆ１と、検出器２１２２により検出された第２の位相差Δｆ２と、に基づいて分周比Ｍを決定し、決定した分周比Ｍを表す周波数制御信号を出力する。
【０１０４】
本例では、第２の制御回路２４Ｃは、第２の位相差Δｆ２から第１の位相差Δｆ１を減じた値Δｆ２−Δｆ１に基づいて分周比Ｍを決定する。なお、本例では、位相差が正の値を有することは、受信信号の位相が基準位相よりも進んでいることを表す。例えば、第２の制御回路２４Ｃは、値Δｆ２−Δｆ１が増加するほど分周比Ｍが増加するように分周比Ｍを決定する。
【０１０５】
なお、第２の制御回路２４Ｃは、値Δｆ２−Δｆ１と分周比Ｍとの関係を予め記憶し、記憶している関係と、検出された、第１の位相差Δｆ１及び第２の位相差Δｆ２から算出された値Δｆ２−Δｆ１と、に基づいて、分周比Ｍを決定してもよい。
【０１０６】
また、第２の制御回路２４Ｃは、値Δｆ２−Δｆ１に代えて、値Δｆ２−ｋΔｆ１を、分周比Ｍを決定するために用いてもよい。ここで、ｋは、予め定められた係数を表す。係数ｋは、第１の周波数帯域に含まれる周波数と、第２の周波数帯域に含まれる周波数と、に基づいて決定されてよい。例えば、係数ｋは、第１の周波数帯域に対する搬送波信号の周波数と、第２の周波数帯域に対する搬送波信号の周波数と、の比に基づく値であってよい。
【０１０７】
図１４に示すように、受信器２１１１Ｃは、例示的に、受信シンセサイザ２１１３Ｃと、乗算器２１１４Ｃと、を備える。
受信シンセサイザ２１１３Ｃは、第２の制御回路２４Ｃにより出力された周波数制御信号が表す分周比Ｍに基づく周波数の搬送波信号を、発振回路３１により生成されたクロック信号に基づいて生成する。本例では、搬送波信号の周波数は、発振回路３１により生成されたクロック信号の周波数Ｆ２に、分周比Ｍを乗じた値Ｍ・Ｆ２を有する。
【０１０８】
例えば、クロック信号の周波数Ｆ２が１ＭＨｚであり、分周比Ｍが１００である場合、搬送波信号の周波数は、１００ＭＨｚである。また、例えば、クロック信号の周波数Ｆ２が１ＭＨｚであり、分周比Ｍが１０１である場合、搬送波信号の周波数は、１０１ＭＨｚである。このように、本例では、搬送波信号の周波数の補正量の最小値は、クロック信号の周波数Ｆ２である。
本例では、受信シンセサイザ２１１３Ｃにより生成される搬送波信号の周波数は、第２の周波数帯域に含まれる。
【０１０９】
受信シンセサイザ２１１３Ｃは、例示的に、プログラマブル分周器４１と、位相比較器４２と、ループフィルタ４３と、ＶＣＯ４４と、を備える。受信シンセサイザ２１１３Ｃは、デジタルＰＬＬと呼ばれてもよい。プログラマブル分周器４１、位相比較器４２、ループフィルタ４３、及び、ＶＣＯ４４は、図７のプログラマブル分周器２４２、位相比較器２４３、ループフィルタ２４４、及び、ＶＣＯ２４５と同様の機能をそれぞれ有する。
【０１１０】
このようにして、第２の制御回路２４Ｃは、第１の位相差Δｆ１と第２の位相差Δｆ２とに基づいて、受信シンセサイザ２１１３Ｃが生成する搬送波信号の周波数を補正する。これにより、第２の制御回路２４Ｃは、第２の無線処理の制御を行なう。
【０１１１】
乗算器２１１４Ｃは、第２のアンテナ２２により受信された無線信号に、受信シンセサイザ２１１３Ｃにより生成された搬送波信号を乗算する。乗算器２１１４Ｃは、乗算後の信号を復調器２１２１へ出力する。乗算器２１１４Ｃにより出力される信号は、受信信号と表されてよい。
【０１１２】
図１５に示すように、送信器２１１２Ｃは、例示的に、送信シンセサイザ２１１５Ｃと、乗算器２１１６Ｃと、を備える。
送信シンセサイザ２１１５Ｃは、受信シンセサイザ２１１３Ｃと同様に、第２の制御回路２４Ｃにより出力された周波数制御信号が表す分周比Ｍに基づく周波数の搬送波信号を、発振回路３１により生成されたクロック信号に基づいて生成する。本例では、送信シンセサイザ２１１５Ｃは、受信シンセサイザ２１１３Ｃが生成する搬送波信号の周波数と同じ周波数の搬送波信号を生成する。
【０１１３】
送信シンセサイザ２１１５Ｃは、例示的に、受信シンセサイザ２１１３Ｃと同様に、プログラマブル分周器４５と、位相比較器４６と、ループフィルタ４７と、ＶＣＯ４８と、を備える。
【０１１４】
乗算器２１１６Ｃは、変調器２１２３により出力された送信信号に、送信シンセサイザ２１１５Ｃにより生成された搬送波信号を乗算する。乗算器２１１６Ｃは、乗算後の信号を第２の共用器２３を介して第２のアンテナ２２へ出力する。
【０１１５】
このようにして、第２の制御回路２４Ｃは、第１の位相差Δｆ１と第２の位相差Δｆ２とに基づいて、送信シンセサイザ２１１５Ｃが生成する搬送波信号の周波数を補正する。これにより、第２の制御回路２４Ｃは、第２の無線処理の制御を行なう。
【０１１６】
なお、受信シンセサイザ２１１３Ｃ及び送信シンセサイザ２１１５Ｃのそれぞれは、ＡＤＰＬＬであってもよい。
【０１１７】
（動作）
無線装置１Ｃの動作の一例について図１３及び図１６を参照しながら説明する。
無線装置１Ｃは、図８のステップＳ１０１〜Ｓ１０４と同様に動作する（図１６のステップＳ１０１〜Ｓ１０４）。
第２の制御回路２４Ｃは、検出器１１２２により検出された第１の位相差Δｆ１と、検出器２１２２により検出された第２の位相差Δｆ２と、に基づいて、ＲＦ部２１１Ｃが生成する搬送波信号の周波数を補正する（図１６のステップＳ３０５）。例えば、図１６のステップＳ１０４及びＳ３０５の処理は、同時に、又は、略同時に実行されてよい。
このようにして、第２の制御回路２４Ｃは、第２の無線回路２１が生成する搬送波信号の周波数を補正することにより、第２の無線処理の制御を行なう。
【０１１８】
以上、説明したように、第２実施形態に係る無線装置１Ｃは、第１実施形態に係る無線装置１と同様の作用及び効果を奏することができる。
【０１１９】
更に、第２実施形態に係る無線装置１Ｃにおいて、第１の制御回路１４は、第１の無線回路１１に供給されるクロック信号の周波数を補正することにより、第１の無線処理の制御を行なう。更に、第２の制御回路２４Ｃは、第２の無線回路２１が生成する搬送波信号の周波数を補正することにより、第２の無線処理の制御を行なう。
これにより、第１及び第２の周波数帯域のそれぞれに対する、受信された無線信号の位相差を高い精度にて補償することができる。
【０１２０】
加えて、第２実施形態に係る無線装置１Ｃにおいて、第１の制御回路１４は、第１の周波数帯域に対する第１の位相差Δｆ１に基づいて、発振回路３１により生成されるクロック信号の周波数を補正するように発振回路３１を制御する。更に、第２の制御回路２４Ｃは、第１の周波数帯域に対する第１の位相差Δｆ１と第２の周波数帯域に対する第２の位相差Δｆ２とに基づいて、第２の無線回路２１が生成する搬送波信号の周波数を補正するように第２の無線回路２１を制御する。
【０１２１】
これによれば、発振回路３１により生成されるクロック信号の周波数は、第１の周波数帯域に対する第１の位相差Δｆ１に基づいて補正される。従って、第１の周波数帯域に対する、受信された無線信号の位相差を補償することができる。更に、第２の無線回路２１が生成する搬送波信号の周波数は、第１及び第２の周波数帯域に対する位相差Δｆ１及びΔｆ２に基づいて補正される。従って、第２の無線回路２１が生成する搬送波信号の周波数に、第１及び第２の周波数帯域に対する位相差Δｆ１及びΔｆ２の両方を反映できる。この結果、第２の周波数帯域に対する、受信された無線信号の位相差を補償することができる。
【０１２２】
なお、第２の制御回路２４Ｃは、受信シンセサイザ２１１３Ｃ及び送信シンセサイザ２１１５Ｃの一方が生成する搬送波信号の周波数を補正せずに、他方が生成する搬送波信号の周波数を補正してもよい。
【０１２３】
＜第２実施形態の第１変形例＞
次に、本発明の第２実施形態の第１変形例に係る無線装置について説明する。第２実施形態の第１変形例に係る無線装置は、第２実施形態に係る無線装置に対して、受信シンセサイザが２つのプログラマブル分周器を備える点において相違している。以下、かかる相違点を中心として説明する。なお、第２実施形態の第１変形例の説明において、第２実施形態にて使用した符号と同じ符号を付したものは、同一又はほぼ同様のものである。
【０１２４】
第２実施形態の第１変形例に係る受信シンセサイザ２１１３Ｄは、図１７に示すように、図１４の受信シンセサイザ２１１３Ｃの構成に加えて、プログラマブル分周器４９Ｄを備える。
第２実施形態の第１変形例に係る第２の制御回路２４Ｄは、第１の位相差Δｆ１と第２の位相差Δｆ２とに基づいて、第１の分周比Ｍ及び第２の分周比Ｎを決定する。第２の制御回路２４Ｄは、決定した第１の分周比Ｍを表す周波数制御信号をプログラマブル分周器４１へ出力するとともに、決定した第２の分周比Ｎを表す周波数制御信号をプログラマブル分周器４９Ｄへ出力する。本例では、Ｎは整数を表す。
【０１２５】
これによれば、受信シンセサイザ２１１３Ｄにより生成される搬送波信号の周波数は、発振回路３１により生成されたクロック信号の周波数Ｆ２に、第１の分周比Ｍを乗じた値Ｍ・Ｆ２を、第２の分周比Ｎにより除した値Ｍ・Ｆ２／Ｎを有する。従って、搬送波信号の周波数をより高い精度にて補正することができる。
なお、図１５の送信シンセサイザ２１１５Ｃも、図１７の受信シンセサイザ２１１３Ｄと同様に、２つのプログラマブル分周器を備えてよい。
【０１２６】
＜第２実施形態の第２変形例＞
次に、本発明の第２実施形態の第２変形例に係る無線装置について説明する。第２実施形態の第２変形例に係る無線装置は、第２実施形態の第１変形例に係る無線装置に対して、受信シンセサイザがプリスケーラを備える点において相違している。以下、かかる相違点を中心として説明する。なお、第２実施形態の第２変形例の説明において、第２実施形態の第１変形例にて使用した符号と同じ符号を付したものは、同一又はほぼ同様のものである。
【０１２７】
第２実施形態の第２変形例に係る受信シンセサイザ２１１３Ｅは、図１８に示すように、図１７の受信シンセサイザ２１１３Ｄの構成に加えて、プリスケーラ５１Ｅを備える。
プリスケーラ５１Ｅは、ＶＣＯ２４５により出力されたクロック信号の周波数Ｆ２を、予め定められた第３の分周比Ｐにより除した周波数Ｆ２／Ｐの分周信号を出力する。本例では、Ｐは整数を表す。
【０１２８】
これによれば、受信シンセサイザ２１１３Ｅにより生成される搬送波信号の周波数は、生成されたクロック信号の周波数Ｆ２に、第３の分周比Ｐ及び第１の分周比Ｍをそれぞれ乗じた値Ｐ・Ｍ・Ｆ２を、第２の分周比Ｎにより除した値Ｐ・Ｍ・Ｆ２／Ｎを有する。従って、搬送波信号の周波数をより高い精度にて補正することができる。
なお、図１５の送信シンセサイザ２１１５Ｃも、図１８の受信シンセサイザ２１１３Ｅと同様に、２つのプログラマブル分周器及びプリスケーラを備えてよい。
【０１２９】
＜第２実施形態の第３変形例＞
次に、本発明の第２実施形態の第３変形例に係る無線装置について説明する。第２実施形態の第３変形例に係る無線装置は、第２実施形態に係る無線装置に対して、搬送波信号の周波数を第１及び第２の周波数帯域に対して並列に補正する点において相違している。以下、かかる相違点を中心として説明する。なお、第２実施形態の第３変形例の説明において、第２実施形態にて使用した符号と同じ符号を付したものは、同一又はほぼ同様のものである。
【０１３０】
図１９に示すように、第２実施形態の第３変形例に係る無線装置１Ｆは、例示的に、図１３の第１の制御回路１４、ＲＦ部１１１、第２の制御回路２４Ｃ及び発振回路３１に代えて、ＲＦ部１１１Ｆ、第２の制御回路２４Ｆ及び発振回路３１Ｆを備える。
【０１３１】
発振回路３１Ｆは、所定の周波数を有するクロック信号を生成する。本例では、発振回路３１Ｆは、水晶発振器を含む。例えば、発振器は、ＴＣＸＯである。なお、発振器は、ＶＣ−ＴＣＸＯであってもよい。
【０１３２】
第２実施形態の第３変形例に係る第１の無線回路１１は、発振回路３１Ｆにより生成されたクロック信号に従って動作する。
ＲＦ部１１１Ｆは、図１３の受信器１１１１及び送信器１１１２に代えて、例示的に、第１の制御回路１４Ｆ、受信器１１１１Ｆ及び送信器１１１２Ｆを備える。
【０１３３】
第１の制御回路１４Ｆは、検出器１１２２により検出された第１の位相差Δｆ１に基づいて分周比Ｍ１を決定し、決定した分周比Ｍ１を表す周波数制御信号を出力する。本例では、位相差が正の値を有することは、受信信号の位相が基準位相よりも進んでいることを表す。例えば、第１の制御回路１４Ｆは、値Δｆ１が増加するほど分周比Ｍ１が増加するように分周比Ｍ１を決定する。
なお、第１の制御回路１４Ｆは、値Δｆ１と分周比Ｍ１との関係を予め記憶し、記憶している関係と、検出された、第１の位相差Δｆ１と、に基づいて、分周比Ｍ１を決定してもよい。
【０１３４】
受信器１１１１Ｆは、図１４の受信器２１１１Ｃと同様に、受信シンセサイザと、乗算器と、を備え、受信器２１１１Ｃと同様の機能を有する。送信器１１１２Ｆは、図１５の送信器２１１２Ｃと同様に、送信シンセサイザと、乗算器と、を備え、送信器２１１２Ｃと同様の機能を有する。
【０１３５】
第２の制御回路２４Ｆは、検出器２１２２により検出された第２の位相差Δｆ２に基づいて分周比Ｍ２を決定し、決定した分周比Ｍ２を表す周波数制御信号を出力する。例えば、第２の制御回路２４Ｆは、値Δｆ２が増加するほど分周比Ｍ２が増加するように分周比Ｍ２を決定する。
なお、第２の制御回路２４Ｆは、値Δｆ２と分周比Ｍ２との関係を予め記憶し、記憶している関係と、検出された、第２の位相差Δｆ２と、に基づいて、分周比Ｍ２を決定してもよい。
【０１３６】
（動作）
無線装置１Ｆの動作の一例について図１９及び図２０を参照しながら説明する。
無線装置１Ｆは、図１２のステップＳ２０１〜Ｓ２０２と同様に動作する（図２０のステップＳ２０１〜Ｓ２０２）。
【０１３７】
第１の制御回路１４Ｆは、検出器１１２２により検出された第１の位相差Δｆ１に基づいて、ＲＦ部１１１Ｆが生成する搬送波信号の周波数を補正する（図２０のステップＳ４０３）。このように、第１の制御回路１４Ｆは、第１の無線回路１１が生成する搬送波信号の周波数を補正することにより、第１の無線処理の制御を行なう。
【０１３８】
同様に、第２の制御回路２４Ｆは、検出器２１２２により検出された第２の位相差Δｆ２に基づいて、ＲＦ部２１１Ｃが生成する搬送波信号の周波数を補正する（図２０のステップＳ４０４）。このように、第２の制御回路２４Ｆは、第２の無線回路２１が生成する搬送波信号の周波数を補正することにより、第２の無線処理の制御を行なう。
【０１３９】
これにより、第２実施形態の第３変形例に係る無線装置１Ｆは、第２実施形態に係る無線装置１と同様の作用及び効果を奏することができる。
更に、第２実施形態の第３変形例に係る無線装置１Ｆによれば、第１及び第２の周波数帯域のそれぞれに対する、受信された無線信号の位相差を高い精度にて補償することができる。
【０１４０】
＜第３実施形態＞
次に、本発明の第３実施形態に係る無線装置について説明する。第３実施形態に係る無線装置は、第１実施形態に係る無線装置に対して、第２の無線回路における変調信号の位相を補正することにより、第２の無線処理の制御を行なう点において相違している。以下、かかる相違点を中心として説明する。なお、第３実施形態の説明において、第１実施形態にて使用した符号と同じ符号を付したものは、同一又はほぼ同様のものである。
【０１４１】
（構成）
図２１に示すように、第３実施形態に係る無線装置１Ｇは、図２の第２の制御回路２４、ＲＦ部２１１及びＤＢＢ部２１２に代えて、例示的に、ＲＦ部２１１Ｇ及びＤＢＢ部２１２Ｇを備える。
第３実施形態に係る第２の無線回路２１は、発振回路３１により生成されたクロック信号に従って動作する。
【０１４２】
ＲＦ部２１１Ｇは、復調器２１２１による復調処理に同期したクロック信号の周波数よりも高いサンプリング周波数にて、受信器２１１１により出力される受信信号に対するＡＤ変換を行なう点を除いて、図２のＲＦ部２１１と同様の機能を有する。本例では、復調処理に同期したクロック信号は、ＰＳ（Ｐｒｏｃｅｓｓ  Ｓｙｎｃｈｒｏｎｉｚｅｄ）クロック信号とも表される。ＰＳクロック信号の周波数よりも高いサンプリング周波数にてＡＤ変換を行なうことは、オーバーサンプリング（ＯＳ；Ｏｖｅｒ  Ｓａｍｐｌｉｎｇ）と呼ばれてもよい。
【０１４３】
本例では、ＡＤ変換後の受信信号は、受信データとも表される。本例では、ＡＤ変換後の受信信号は、復調前の信号であるため、変調信号とも表される。復調処理に同期したクロック信号の周波数は、第１の周波数の一例である。サンプリング周波数は、第２の周波数の一例である。
【０１４４】
本例では、サンプリング周波数は、ＰＳクロック信号の周波数を所定の係数Ｊ倍した値を有する。本例では、Ｊは、８を表す。例えば、復調処理に同期したクロック信号の周波数は、チップレート又はシンボルレートに対応する周波数である。例えば、復調処理に同期したクロック信号の周期は、シンボル周期であってよい。
【０１４５】
チップレートは、例えば、第２の無線回路２１がＷ−ＣＤＭＡ方式に従った通信を行なう場合、３．８４Ｍｃｐｓであってよい。ｃｐｓは、ｃｈｉｐ  ｐｅｒ  ｓｅｃｏｎｄの略記である。例えば、この場合、ＰＳクロック信号の周波数は、３．８４ＭＨｚであってよい。
【０１４６】
シンボルレートは、例えば、第２の無線回路２１がＬＴＥ方式に従うとともに２０ＭＨｚの周波数帯域幅を用いた通信を行なう場合、３０．７２Ｍｓｐｓであってよい。ｓｐｓは、ｓｙｍｂｏｌ  ｐｅｒ  ｓｅｃｏｎｄの略記である。例えば、この場合、ＰＳクロック信号の周波数は、３０．７２ＭＨｚであってよい。
【０１４７】
ＤＢＢ部２１２Ｇは、図２のＤＢＢ部２１２の構成に加えて、例示的に、第２の制御回路２４Ｇを備える。
図２２に示すように、第２の制御回路２４Ｇは、例示的に、受信タイミング調整回路２４１Ｇと、送信タイミング調整回路２４２Ｇと、を備える。
【０１４８】
図２３に示すように、受信タイミング調整回路２４１Ｇは、例示的に、選択回路２４１１Ｇと、Ｊ（本例では、８）個のＦＦ（Ｆｌｉｐ  Ｆｌｏｐ）回路２４１２−１〜２４１２−Ｊと、を備える。
【０１４９】
Ｊ個のＦＦ回路２４１２−１〜２４１２−Ｊは、直列に接続される。ＦＦ回路２４１２−１には、受信器２１１１から受信データＸ（ｔ）が入力される。Ｘ（ｔ）は、時刻ｔにおける受信データを表す。各ＦＦ回路２４１２−ｉには、ＦＦ回路２４１２−ｐから出力された受信データが入力される。ｉは、２からＪまでの整数を表す。ｐは、ｉ−１を表す。
【０１５０】
各ＦＦ回路２４１２−ｊには、ＯＳクロック信号が入力される。ｊは、１からＪまでの整数を表す。各ＦＦ回路２４１２−ｊは、入力された受信データを、入力されたＯＳクロック信号の周期Δｔｏｓだけ遅延させてから出力する。本例では、ＯＳクロック信号の周波数は、サンプリング周波数と等しい。
本例では、ＯＳクロック信号は、第２の制御回路２４Ｇにより生成される。ＯＳクロック信号は、ＲＦ部２１１Ｇから供給されてもよい。
【０１５１】
本例では、ＦＦ回路２４１２−ｉから出力される受信データは、ＦＦ回路２４１２−ｉよりも１段だけ前段側（本例では、ＦＦ回路２４１２−１側）のＦＦ回路２４１２−ｐから出力される受信データよりも、ＯＳクロック信号の周期Δｔｏｓだけ遅延する。従って、ＦＦ回路２４１２−ｊから出力される受信データは、ｊが大きくなるほど大きく遅延する。換言すると、ＦＦ回路２４１２−ｊから出力される受信データは、より後段側（本例では、ＦＦ回路２４１２−Ｊ側）のＦＦ回路２４１２−１〜２４１２−Ｊほど大きく遅延する。Ｊ個のＦＦ回路２４１２−１〜２４１２−Ｊは、シフトレジスタと呼ばれてよい。
【０１５２】
第２の制御回路２４Ｇは、検出器１１２２により検出された第１の位相差Δｆ１と、検出器２１２２により検出された第２の位相差Δｆ２と、に基づいて、Ｊ個のＦＦ回路２４１２−１〜２４１２−Ｊのうちの１つを識別する選択情報を生成する。
【０１５３】
本例では、第２の制御回路２４Ｇは、第２の位相差Δｆ２から第１の位相差Δｆ１を減じた値Δｆ２−Δｆ１に基づいて選択情報を生成する。
なお、本例では、位相差が正の値を有することは、受信信号の位相が基準位相よりも進んでいることを表す。
【０１５４】
本例では、第２の制御回路２４Ｇは、値Δｆ２−Δｆ１の絶対値が所定の閾値以下である場合、予め定められたＦＦ回路２４１２−ｊを識別する選択情報を生成する。本例では、予め定められたＦＦ回路２４１２−ｊは、Ｊ個のＦＦ回路２４１２−１〜２４１２−Ｊの中間に配置されたＦＦ回路２４１２−４である。
【０１５５】
更に、本例では、第２の制御回路２４Ｇは、値Δｆ２−Δｆ１の絶対値が閾値よりも大きく且つ値Δｆ２−Δｆ１が正の値を有する場合、値Δｆ２−Δｆ１が増加するほど、より後段側のＦＦ回路２４１２−１〜２４１２−Ｊを識別する選択情報を生成する。加えて、本例では、第２の制御回路２４Ｇは、値Δｆ２−Δｆ１の絶対値が閾値よりも大きく且つ値Δｆ２−Δｆ１が負の値を有する場合、値Δｆ２−Δｆ１が減少するほど、より前段側のＦＦ回路２４１２−１〜２４１２−Ｊを識別する選択情報を生成する。
【０１５６】
なお、第２の制御回路２４Ｇは、値Δｆ２−Δｆ１と選択情報との関係を予め記憶し、記憶している関係と、検出された、第１の位相差Δｆ１及び第２の位相差Δｆ２から算出された値Δｆ２−Δｆ１と、に基づいて、選択情報を生成してもよい。
【０１５７】
また、第２の制御回路２４Ｇは、値Δｆ２−Δｆ１に代えて、値Δｆ２−ｋΔｆ１を、選択情報を生成するために用いてもよい。ここで、ｋは、予め定められた係数を表す。係数ｋは、第１の周波数帯域に含まれる周波数と、第２の周波数帯域に含まれる周波数と、に基づいて決定されてよい。例えば、係数ｋは、第１の周波数帯域に対する搬送波信号の周波数と、第２の周波数帯域に対する搬送波信号の周波数と、の比に基づく値であってよい。
【０１５８】
選択回路２４１１Ｇには、各ＦＦ回路２４１２−ｊから出力された受信データが入力される。選択回路２４１１Ｇは、Ｊ個のＦＦ回路２４１２−１〜２４１２−Ｊのうちの、第２の制御回路２４Ｇにより生成された選択情報により識別されるＦＦ回路２４１２−ｊを選択する。選択回路２４１１Ｇは、選択したＦＦ回路２４１２−ｊにより出力された受信データを復調器２１２１へ出力する。
【０１５９】
選択回路２４１１Ｇは、ＰＳクロック信号に同期して、ＦＦ回路２４１２−ｊの選択と、受信データの出力と、を行なう。本例では、ＰＳクロック信号は、復調器２１２１から供給される。ＰＳクロック信号は、第２の制御回路２４Ｇにより生成されてもよい。
【０１６０】
第３実施形態に係る復調器２１２１は、ＰＳクロック信号を生成するとともに、生成したＰＳクロック信号に同期して、受信タイミング調整回路２４１Ｇにより出力された受信データに対する復調処理を実行する。
【０１６１】
第２の制御回路２４Ｇは、値Δｆ２−Δｆ１の絶対値が所定の閾値よりも大きい場合、復調器２１２１により供給されるＰＳクロック信号の位相を、生成した選択情報に対応する量だけ変更する。例えば、変更量は、選択情報によりＦＦ回路２４１２−ｊが識別される場合、（ｊ−Ｊ／２）・２π／Ｊであってよい。
【０１６２】
図２４に示すように、本例では、ＰＳクロック信号の周期Δｔｐｓは、ＯＳクロック信号の周期ΔｔｏｓのＪ（本例では、８）倍である。
例えば、値Δｆ２−Δｆ１の絶対値が所定の閾値以下である状態が維持されている場合を想定する。この場合、受信タイミング調整回路２４１Ｇは、ＰＳクロック信号の周期Δｔｐｓが経過する毎に、ＦＦ回路２４１２−４により出力された受信データを出力する。
【０１６３】
従って、図２５の（Ａ）〜（Ｄ）に例示するように、受信タイミング調整回路２４１Ｇは、入力された受信データのうちの、ＰＳクロック信号の周期Δｔｐｓを有するタイミングにて入力された受信データＤ（−８）、Ｄ（０）及びＤ（８）を出力する。
【０１６４】
図２５において、入力データは、受信タイミング調整回路２４１Ｇに入力された受信データを表す。図２５において、出力データは、受信タイミング調整回路２４１Ｇから出力された受信データを表す。図２５において、Ｄ（ｑ）は、時点ｔａから、ＯＳクロック信号の周期Δｔｏｓをｑ倍した時間ｑ・Δｔｏｓ後の時点にて、受信タイミング調整回路２４１Ｇに入力された受信データを表す。ｑは、整数を表す。
【０１６５】
この場合、復調器２１２１は、受信タイミング調整回路２４１Ｇに入力された受信データのうちの、ＰＳクロック信号の周期Δｔｐｓを有するタイミングにおける値を復調処理する。
【０１６６】
例えば、時点ｔａにおいて、値Δｆ２−Δｆ１の絶対値が所定の閾値よりも大きくなり、これにより、第２の制御回路２４ＧがＦＦ回路２４１２−５を識別する選択情報を生成した場合を想定する。この場合、図２５の（Ｅ）及び（Ｆ）に例示するように、時点ｔａにて、受信タイミング調整回路２４１Ｇは、ＦＦ回路２４１２−５により出力された受信データＤ（−１）を出力する。
【０１６７】
更に、第２の制御回路２４Ｇは、復調器２１２１により供給されるＰＳクロック信号の位相を、生成した選択情報に対応する量だけ変更する。本例では、変更量は、−２π／８である。これにより、受信タイミング調整回路２４１Ｇは、時点ｔａから、ＰＳクロック信号の周期ΔｔｐｓよりもＯＳクロック信号の周期Δｔｏｓだけ短い時間Δｔｐｓ−Δｔｏｓ後の時点ｔｂにて入力された受信データＤ（７）を時点ｔｂにて出力する。
【０１６８】
このようにして、受信タイミング調整回路２４１Ｇは、入力された受信データのうちの、復調器２１２１により復調処理される値に対応するタイミングを変更することにより、変調信号の位相を補正する。
【０１６９】
第３実施形態に係る変調器２１２３は、ＯＳクロック信号を生成するとともに、生成したＯＳクロック信号に同期して、変調処理を実行する。これにより、変調器２１２３は、送信器２１１２による無線送信処理に同期したクロック信号の周波数よりも高い、ＯＳクロック信号の周波数を有するタイミングにおける値を含む送信信号を出力する。例えば、無線送信処理に同期したクロック信号の周波数は、チップレート又はシンボルレートに対応する周波数である。例えば、無線送信処理に同期したクロック信号の周期は、シンボル周期であってよい。
【０１７０】
変調器２１２３により出力される送信信号は、送信データとも表される。本例では、変調器２１２３により出力される送信信号は、変調信号とも表される。本例では、無線送信処理に同期したクロック信号は、ＰＳクロック信号とも表される。
【０１７１】
本例では、変調器２１２３におけるＯＳクロック信号の周波数は、ＲＦ部２１１Ｇにおけるサンプリング周波数と一致する。無線送信処理に同期したクロック信号の周波数は、第１の周波数の一例である。ＯＳクロック信号の周波数は、第２の周波数の一例である。
【０１７２】
図２６に示すように、送信タイミング調整回路２４２Ｇは、例示的に、選択回路２４２１Ｇと、Ｊ個のＦＦ回路２４２２−１〜２４２２−Ｊと、を備える。
送信タイミング調整回路２４２Ｇは、下記の第１及び第２の相違点を除いて、受信タイミング調整回路２４１Ｇと同様に機能する。
【０１７３】
第１の相違点は、受信データＸ（ｔ）に代えて送信データＹ（ｔ）が変調器２１２３から入力される点である。Ｙ（ｔ）は、時刻ｔにおける送信データを表す。第２の相違点は、復調器２１２１に代えて送信器２１１２へ送信データを出力する点である。
【０１７４】
このようにして、送信タイミング調整回路２４２Ｇは、入力された送信データのうちの、送信器２１１２により無線送信処理される値に対応するタイミングを変更することにより、変調信号の位相を補正する。
【０１７５】
（動作）
無線装置１Ｇの動作の一例について図２１及び図２７を参照しながら説明する。
無線装置１Ｇは、図８のステップＳ１０１〜Ｓ１０４と同様に動作する（図２７のステップＳ１０１〜Ｓ１０４）。
第２の制御回路２４Ｇは、検出器１１２２により検出された第１の位相差Δｆ１と、検出器２１２２により検出された第２の位相差Δｆ２と、に基づいて、第２の無線回路２１における変調信号の位相を補正する（図２７のステップＳ５０５）。例えば、図２７のステップＳ１０４及びＳ５０５の処理は、同時に、又は、略同時に実行されてよい。
このようにして、第２の制御回路２４Ｇは、第２の無線回路２１における変調信号の位相を補正することにより、第２の無線処理の制御を行なう。
【０１７６】
以上、説明したように、第３実施形態に係る無線装置１Ｇは、第１実施形態に係る無線装置１と同様の作用及び効果を奏することができる。
【０１７７】
更に、第３実施形態に係る無線装置１Ｇにおいて、第１の制御回路１４は、第１の無線回路１１に供給されるクロック信号の周波数を補正することにより、第１の無線処理の制御を行なう。加えて、第２の制御回路２４Ｇは、第２の無線回路２１における変調信号の位相を補正することにより、第２の無線処理の制御を行なう。
【０１７８】
これによれば、第１及び第２の周波数帯域に対する、受信された無線信号の位相差を補償することができる。
【０１７９】
更に、第３実施形態に係る無線装置１Ｇにおいて、第１の制御回路１４は、第１の周波数帯域に対する第１の位相差Δｆ１に基づいて、発振回路３１により生成されるクロック信号の周波数を補正するように発振回路３１を制御する。加えて、第２の制御回路２４Ｇは、第１の周波数帯域に対する第１の位相差Δｆ１と第２の周波数帯域に対する第２の位相差Δｆ２とに基づいて、変調信号の位相を補正するように第２の無線回路２１を制御する。
【０１８０】
これによれば、発振回路３１により生成されるクロック信号の周波数は、第１の周波数帯域に対する第１の位相差Δｆ１に基づいて補正される。従って、第１の周波数帯域に対する、受信された無線信号の位相差を補償することができる。更に、第２の無線回路２１における変調信号の位相は、第１及び第２の周波数帯域に対する位相差Δｆ１及びΔｆ２に基づいて補正される。従って、第２の無線回路２１における変調信号の位相に、第１及び第２の周波数帯域に対する位相差Δｆ１及びΔｆ２の両方を反映できる。この結果、第２の周波数帯域に対する、受信された無線信号の位相差を補償することができる。
【０１８１】
更に、第３実施形態に係る無線装置１Ｇにおいて、第２の無線回路２１は、無線送信処理及び復調処理の両方に同期したクロック信号の第１の周波数よりも高い第２の周波数を有するタイミングにおける値を含む信号を変調信号として生成する。本例では、第１の周波数は、ＰＳクロック信号の周波数である。本例では、第２の周波数は、ＯＳクロック信号の周波数である。
【０１８２】
更に、第２の無線回路２１は、生成した変調信号のうちの、第１の周波数を有するタイミングにおける値を処理する。加えて、第２の制御回路２４Ｇは、第２の無線回路２１により処理される値に対応するタイミングを変更することにより、変調信号の位相を補正する。
【０１８３】
これによれば、第２の周波数帯域に対する、受信された無線信号の位相差を高い精度にて補償することができる。
【０１８４】
なお、第２の制御回路２４Ｇは、受信データ及び送信データの一方の位相を補正せずに、他方の位相を補正してもよい。
【０１８５】
また、受信タイミング調整回路２４１Ｇは、図２８に例示するように、Ｊ個のＦＦ回路２４１２−１〜２４１２−Ｊに代えて、Ｊ個の遅延素子２４１３−１〜２４１３−Ｊを備えていてもよい。各遅延素子２４１３−ｊは、入力された受信データを所定の遅延時間だけ遅延させてから出力する。本例では、遅延時間は、ＯＳクロック信号の周期Δｔｏｓと一致する。同様に、送信タイミング調整回路２４２Ｇも、Ｊ個のＦＦ回路２４２２−１〜２４２２−Ｊに代えて、Ｊ個の遅延素子を備えていてよい。
【０１８６】
＜第３実施形態の第１変形例＞
次に、本発明の第３実施形態の第１変形例に係る無線装置について説明する。第３実施形態の第１変形例に係る無線装置は、第３実施形態に係る無線装置に対して、変調信号の位相を第１及び第２の周波数帯域に対して並列に補正する点において相違している。以下、かかる相違点を中心として説明する。なお、第３実施形態の第１変形例の説明において、第３実施形態にて使用した符号と同じ符号を付したものは、同一又はほぼ同様のものである。
【０１８７】
図２９に示すように、第３実施形態の第１変形例に係る無線装置１Ｈは、例示的に、図２１の第１の制御回路１４、ＲＦ部１１１及びＤＢＢ部１１２に代えて、ＲＦ部１１１Ｈ及びＤＢＢ部１１２Ｈを備える。更に、無線装置１Ｈは、例示的に、図２１の第２の制御回路２４Ｇ及び発振回路３１に代えて、第２の制御回路２４Ｈ及び発振回路３１Ｈを備える。
【０１８８】
発振回路３１Ｈは、所定の周波数を有するクロック信号を生成する。本例では、発振回路３１Ｈは、水晶発振器を含む。例えば、発振器は、ＴＣＸＯである。なお、発振器は、ＶＣ−ＴＣＸＯであってもよい。
第３実施形態の第１変形例に係る第１の無線回路１１は、発振回路３１Ｈにより生成されたクロック信号に従って動作する。
【０１８９】
ＲＦ部１１１Ｈは、復調器１１２１による復調処理に同期したクロック信号の周波数よりも高いサンプリング周波数にて、受信器１１１１により出力される受信信号に対するＡＤ変換を行なう点を除いて、図２１のＲＦ部１１１と同様の機能を有する。
ＤＢＢ部１１２Ｈは、図２１のＤＢＢ部１１２の構成に加えて、例示的に、第１の制御回路１４Ｈを備える。
【０１９０】
第１の制御回路１４Ｈは、図２２の第２の制御回路２４Ｇと同様に、受信タイミング調整回路と、送信タイミング調整回路と、を備える。第１の制御回路１４Ｈは、第２の位相差Δｆ２に基づかずに、第１の位相差Δｆ１に基づいて選択情報を生成する点を除いて、第２の制御回路２４Ｇと同様の機能を有する。なお、本例では、位相差が正の値を有することは、受信信号の位相が基準位相よりも進んでいることを表す。
【０１９１】
本例では、第１の制御回路１４Ｈは、値Δｆ１の絶対値が所定の閾値以下である場合、予め定められたＦＦ回路（例えば、Ｊ個のＦＦ回路の中間に配置されたＦＦ回路）を識別する選択情報を生成する。更に、本例では、第１の制御回路１４Ｈは、値Δｆ１の絶対値が閾値よりも大きく且つ値Δｆ１が正の値を有する場合、値Δｆ１が増加するほど、より後段側のＦＦ回路を識別する選択情報を生成する。加えて、本例では、第１の制御回路１４Ｈは、値Δｆ１の絶対値が閾値よりも大きく且つ値Δｆ１が負の値を有する場合、値Δｆ１が減少するほど、より前段側のＦＦ回路を識別する選択情報を生成する。
【０１９２】
なお、第１の制御回路１４Ｈは、値Δｆ１と選択情報との関係を予め記憶し、記憶している関係と、検出された、第１の位相差Δｆ１と、に基づいて、選択情報を生成してもよい。
【０１９３】
第２の制御回路２４Ｈは、第１の位相差Δｆ１に代えて、第２の位相差Δｆ２を用いる点を除いて、第１の制御回路１４Ｈと同様の機能を有する。
【０１９４】
（動作）
無線装置１Ｈの動作の一例について図２９及び図３０を参照しながら説明する。
無線装置１Ｈは、図１２のステップＳ２０１〜Ｓ２０２と同様に動作する（図３０のステップＳ２０１〜Ｓ２０２）。
【０１９５】
第１の制御回路１４Ｈは、検出器１１２２により検出された第１の位相差Δｆ１に基づいて、第１の無線回路１１における変調信号の位相を補正する（図３０のステップＳ６０３）。このように、第１の制御回路１４Ｈは、第１の無線回路１１における変調信号の位相を補正することにより、第１の無線処理の制御を行なう。
【０１９６】
同様に、第２の制御回路２４Ｈは、検出器２１２２により検出された第２の位相差Δｆ２に基づいて、第２の無線回路２１における変調信号の位相を補正する（図３０のステップＳ６０４）。このように、第２の制御回路２４Ｈは、第２の無線回路２１における変調信号の位相を補正することにより、第２の無線処理の制御を行なう。
【０１９７】
これにより、第３実施形態の第１変形例に係る無線装置１Ｈは、第３実施形態に係る無線装置１Ｇと同様の作用及び効果を奏することができる。
更に、第３実施形態の第１変形例に係る無線装置１Ｈによれば、第１及び第２の周波数帯域のそれぞれに対する、受信された無線信号の位相差を高い精度にて補償することができる。
【０１９８】
＜第４実施形態＞
次に、本発明の第４実施形態に係る無線装置について説明する。第４実施形態に係る無線装置は、第１実施形態に係る無線装置に対して、第２の無線回路における変調信号の位相を補正することにより、第２の無線処理の制御を行なう点において相違している。以下、かかる相違点を中心として説明する。なお、第４実施形態の説明において、第１実施形態にて使用した符号と同じ符号を付したものは、同一又はほぼ同様のものである。
【０１９９】
（構成）
図３１に示すように、第４実施形態に係る無線装置１Ｉは、図２の第２の制御回路２４及びＤＢＢ部２１２に代えて、例示的に、ＤＢＢ部２１２Ｉを備える。
第４実施形態に係る第２の無線回路２１は、発振回路３１により生成されたクロック信号に従って動作する。
【０２００】
ＤＢＢ部２１２Ｉは、図２のＤＢＢ部２１２の構成に加えて、例示的に、第２の制御回路２４Ｉを備える。
図３２に示すように、第２の制御回路２４Ｉは、例示的に、受信位相補正回路２４３Ｉと、送信位相補正回路２４４Ｉと、を備える。
【０２０１】
第２の制御回路２４Ｉは、検出器１１２２により検出された第１の位相差Δｆ１と、検出器２１２２により検出された第２の位相差Δｆ２と、に基づいて、変調信号の位相に対する補正量を表す補正情報を生成する。
【０２０２】
本例では、第２の制御回路２４Ｉは、第２の位相差Δｆ２から第１の位相差Δｆ１を減じた値Δｆ２−Δｆ１に基づいて補正情報を生成する。
なお、本例では、位相差が正の値を有することは、受信信号の位相が基準位相よりも進んでいることを表す。
【０２０３】
本例では、第２の制御回路２４Ｉは、値Δｆ２−Δｆ１が増加するほど増加する補正量を表す補正情報を生成する。補正量は、例えば、０から２πの値を有する。
なお、第２の制御回路２４Ｉは、値Δｆ２−Δｆ１と補正情報との関係を予め記憶し、記憶している関係と、検出された、第１の位相差Δｆ１及び第２の位相差Δｆ２から算出された値Δｆ２−Δｆ１と、に基づいて、補正情報を生成してもよい。
【０２０４】
また、第２の制御回路２４Ｉは、値Δｆ２−Δｆ１に代えて、値Δｆ２−ｋΔｆ１を、補正情報を生成するために用いてもよい。ここで、ｋは、予め定められた係数を表す。係数ｋは、第１の周波数帯域に含まれる周波数と、第２の周波数帯域に含まれる周波数と、に基づいて決定されてよい。例えば、係数ｋは、第１の周波数帯域に対する搬送波信号の周波数と、第２の周波数帯域に対する搬送波信号の周波数と、の比に基づく値であってよい。
【０２０５】
受信位相補正回路２４３Ｉは、第２の制御回路２４Ｉにより生成された補正情報が表す補正量Δθに対応する複素数ｅｘｐ（ξΔθ）を、受信器２１１１により出力された受信データに乗算し、乗算後の受信データを復調器２１２１へ出力する。
【０２０６】
本例では、受信データは、受信器２１１１により出力された、ＡＤ変換後の受信信号である。本例では、受信データは、復調前の信号であるため、変調信号とも表される。ξは、虚数単位を表す。本例では、受信位相補正回路２４３Ｉは、複素乗算器を備える。複素数の乗算は、演算処理の一例である。
このようにして、受信位相補正回路２４３Ｉは、受信データに複素数を乗算することにより、変調信号の位相を補正する。
【０２０７】
送信位相補正回路２４４Ｉは、下記の第１及び第２の相違点を除いて、受信位相補正回路２４３Ｉと同様に機能する。
【０２０８】
第１の相違点は、受信データに代えて送信データが変調器２１２３から入力される点である。本例では、送信データは、変調器２１２３により出力される送信信号である。本例では、送信データは、変調信号とも表される。第２の相違点は、復調器２１２１に代えて送信器２１１２へ送信データを出力する点である。
このようにして、送信タイミング調整回路２４２Ｇは、送信データに複素数を乗算することにより、変調信号の位相を補正する。
【０２０９】
以上、説明したように、第４実施形態に係る無線装置１Ｉは、第３実施形態に係る無線装置１Ｇと同様の作用及び効果を奏することができる。
なお、第２の制御回路２４Ｉは、受信データ及び送信データの一方の位相を補正せずに、他方の位相を補正してもよい。
【０２１０】
また、受信位相補正回路２４３Ｉは、複素乗算器に代えて、デジタルフィルタを備えていてもよい。デジタルフィルタによる処理は、演算処理の一例である。デジタルフィルタは、図３３に例示するように、ＦＩＲフィルタであってよい。ＦＩＲは、Ｆｉｎｉｔｅ  Ｉｍｐｕｌｓｅ  Ｒｅｓｐｏｎｓｅの略記である。ＦＩＲフィルタは、例示的に、Ｒ個のＦＦ回路２４３１−１〜２４３１−Ｒと、Ｒ個の乗算器２４３２−１〜２４３２−Ｒと、加算器２４３３と、を備える。Ｒは、２以上の整数を表す。
【０２１１】
Ｒ個のＦＦ回路２４３１−１〜２４３１−Ｒは、直列に接続される。ＦＦ回路２４１２−１には、受信器２１１１から受信データが入力される。各ＦＦ回路２４３１−ｉには、ＦＦ回路２４３１−ｐから出力された受信データが入力される。ｉは、２からＲまでの整数を表す。ｐは、ｉ−１を表す。
【０２１２】
各ＦＦ回路２４３１−ｒには、クロック信号が入力される。ｒは、１からＲまでの整数を表す。各ＦＦ回路２４３１−ｒは、入力された受信データを、入力されたクロック信号の周期だけ遅延させてから出力する。Ｒ個のＦＦ回路２４３１−１〜２４３１−Ｒは、シフトレジスタと呼ばれてよい。
【０２１３】
本例では、補正情報は、Ｒ個の乗算器２４３２−１〜２４３２−Ｒのそれぞれにより用いられるフィルタ係数を表す。
【０２１４】
Ｒ個の乗算器２４３２−１〜２４３２−Ｒは、Ｒ個のＦＦ回路２４３１−１〜２４３１−Ｒから出力された受信データに、補正情報が表すフィルタ係数を乗算する。
加算器２４３３は、Ｒ個の乗算器２４３２−１〜２４３２−Ｒによりフィルタ係数が乗算された受信データを加算し、加算後の受信データを復調器２１２１へ出力する。
このようにして、受信位相補正回路２４３Ｉは、受信データをＦＩＲフィルタにより処理することにより、変調信号の位相を補正してもよい。
【０２１５】
＜第４実施形態の第１変形例＞
次に、本発明の第４実施形態の第１変形例に係る無線装置について説明する。第４実施形態の第１変形例に係る無線装置は、第４実施形態に係る無線装置に対して、変調信号の位相を第１及び第２の周波数帯域に対して並列に補正する点において相違している。以下、かかる相違点を中心として説明する。なお、第４実施形態の第１変形例の説明において、第４実施形態にて使用した符号と同じ符号を付したものは、同一又はほぼ同様のものである。
【０２１６】
図３４に示すように、第４実施形態の第１変形例に係る無線装置１Ｊは、例示的に、図３１の第１の制御回路１４及びＤＢＢ部１１２に代えて、ＤＢＢ部１１２Ｊを備える。更に、無線装置１Ｊは、例示的に、図３１の第２の制御回路２４Ｉ及び発振回路３１に代えて、第２の制御回路２４Ｊ及び発振回路３１Ｊを備える。
【０２１７】
発振回路３１Ｊは、所定の周波数を有するクロック信号を生成する。本例では、発振回路３１Ｊは、水晶発振器を含む。例えば、発振器は、ＴＣＸＯである。なお、発振器は、ＶＣ−ＴＣＸＯであってもよい。
【０２１８】
第４実施形態の第１変形例に係る第１の無線回路１１は、発振回路３１Ｊにより生成されたクロック信号に従って動作する。
ＤＢＢ部１１２Ｊは、図３１のＤＢＢ部１１２の構成に加えて、例示的に、第１の制御回路１４Ｊを備える。
【０２１９】
第１の制御回路１４Ｊは、図３２の第２の制御回路２４Ｉと同様に、受信位相補正回路と、送信位相補正回路と、を備える。第１の制御回路１４Ｊは、第２の位相差Δｆ２に基づかずに、第１の位相差Δｆ１に基づいて補正情報を生成する点を除いて、第２の制御回路２４Ｉと同様の機能を有する。なお、本例では、位相差が正の値を有することは、受信信号の位相が基準位相よりも進んでいることを表す。
【０２２０】
本例では、第１の制御回路１４Ｊは、値Δｆ１が増加するほど増加する補正量を表す補正情報を生成する。なお、第１の制御回路１４Ｊは、値Δｆ１と補正情報との関係を予め記憶し、記憶している関係と、検出された、第１の位相差Δｆ１と、に基づいて、補正情報を生成してもよい。
【０２２１】
第２の制御回路２４Ｊは、第１の位相差Δｆ１に代えて、第２の位相差Δｆ２を用いる点を除いて、第１の制御回路１４Ｊと同様の機能を有する。
【０２２２】
これにより、第４実施形態の第１変形例に係る無線装置１Ｊは、第４実施形態に係る無線装置１Ｉと同様の作用及び効果を奏することができる。
更に、第４実施形態の第１変形例に係る無線装置１Ｊによれば、第１及び第２の周波数帯域のそれぞれに対する、受信された無線信号の位相差を高い精度にて補償することができる。
【０２２３】
上述した無線装置は、２つの周波数帯域のそれぞれに対して、位相差を補償するように無線処理を制御するが、３つ以上の周波数帯域のそれぞれに対して、位相差を補償するように無線処理を制御してもよい。
また、上述した無線装置の少なくとも１つは、複数の周波数帯域のそれぞれに対して、位相差を補償するように受信処理及び送信処理の両方を制御するが、受信処理及び送信処理の一方を制御してもよい。
【符号の説明】
【０２２４】
１，１Ｂ，１Ｃ，１Ｆ〜１Ｊ  無線装置
１１    第１の無線回路
１１１，１１１Ｆ，１１１Ｈ  ＲＦ部
１１１１，１１１１Ｆ  受信器
１１１２，１１１２Ｆ  送信器
１１１３  受信シンセサイザ
１１１４  乗算器
１１１５  送信シンセサイザ
１１１６  乗算器
１１２，１１２Ｈ，１１２Ｊ  ＤＢＢ部
１１２１  復調器
１１２２  検出器
１１２３  変調器
１２    第１のアンテナ
１３    第１の共用器
１４，１４Ｂ，１４Ｆ，１４Ｈ，１４Ｊ  第１の制御回路
２１    第２の無線回路
２１１，２１１Ｃ，２１１Ｇ  ＲＦ部
２１１１，２１１１Ｃ  受信器
２１１２，２１１２Ｃ  送信器
２１１３Ｃ〜２１１３Ｅ  受信シンセサイザ
２１１４Ｃ  乗算器
２１１５Ｃ  送信シンセサイザ
２１１６Ｃ  乗算器
２１２，２１２Ｇ，２１２Ｉ  ＤＢＢ部
２１２１  復調器
２１２２  検出器
２１２３  変調器
２２    第２のアンテナ
２３    第２の共用器
２４，２４Ａ〜２４Ｄ，２４Ｆ〜２４Ｊ  第２の制御回路
２４１，２４１Ｂ  周波数制御信号生成器
２４１１Ｇ  選択回路
２４１２  ＦＦ回路
２４１３  遅延素子
２４１Ｇ  受信タイミング調整回路
２４２  プログラマブル分周器
２４２１Ｇ  選択回路
２４２２  ＦＦ回路
２４２Ｇ  送信タイミング調整回路
２４３  位相比較器
２４３１  ＦＦ回路
２４３２  乗算器
２４３３  加算器
２４３Ｉ  受信位相補正回路
２４４  ループフィルタ
２４４Ｉ  送信位相補正回路
２４５  ＶＣＯ
２４６  ＰＦＤ
２４７  デジタル演算部
２４８  ＤＣＯ
３１，３１Ｂ，３１Ｆ，３１Ｈ，３１Ｊ  発振回路
３２    データ結合回路
４１    プログラマブル分周器
４２    位相比較器
４３    ループフィルタ
４４    ＶＣＯ
４５    プログラマブル分周器
４６    位相比較器
４７    ループフィルタ
４８    ＶＣＯ
４９Ｄ  プログラマブル分周器
５１Ｅ  プリスケーラ
９００  無線装置
９１１  第１の発振回路
９１２  第１の無線回路
９１３  第１の制御回路
９２１  第２の発振回路
９２２  第２の無線回路
９２３  第２の制御回路
【図１】
2015233192.tif 000003
【図２】
2015233192.tif 000004
【図３】
2015233192.tif 000005
【図４】
2015233192.tif 000006
【図５】
2015233192.tif 000007
【図６】
2015233192.tif 000008
【図７】
2015233192.tif 000009
【図８】
2015233192.tif 000010
【図９】
2015233192.tif 000011
【図１０】
2015233192.tif 000012
【図１１】
2015233192.tif 000013
【図１２】
2015233192.tif 000014
【図１３】
2015233192.tif 000015
【図１４】
2015233192.tif 000016
【図１５】
2015233192.tif 000017
【図１６】
2015233192.tif 000018
【図１７】
2015233192.tif 000019
【図１８】
2015233192.tif 000020
【図１９】
2015233192.tif 000021
【図２０】
2015233192.tif 000022
【図２１】
2015233192.tif 000023
【図２２】
2015233192.tif 000024
【図２３】
2015233192.tif 000025
【図２４】
2015233192.tif 000026
【図２５】
2015233192.tif 000027
【図２６】
2015233192.tif 000028
【図２７】
2015233192.tif 000029
【図２８】
2015233192.tif 000030
【図２９】
2015233192.tif 000031
【図３０】
2015233192.tif 000032
【図３１】
2015233192.tif 000033
【図３２】
2015233192.tif 000034
【図３３】
2015233192.tif 000035
【図３４】
2015233192.tif 000036